(57)【要約】【課題】単一の画面に表示される資料が見づらくなく、マウスを操作した場合にも、カーソルの動きがスムーズな画像表示装置を提供する。【解決手段】表示画像８０内に表示されるカーソル８２の位置及び動きの少なくとも一方の情報に基づいて、複数のコンピュータ装置が送信する画像データの帯域値を演算する帯域値演算手段と、前記画像データの帯域値に基づいて、複数のコンピュータ装置のデータ送信量を制御する送信量制御手段とを備える。なお、帯域値演算手段は、それぞれのコンピュータ装置の表示フレーム８５内に存在するカーソル８２の数から優先度を算出し、この優先度に基づき帯域値を決定することが好ましい。【選択図】図１１
2008191354.tif 000002
【特許請求の範囲】
【請求項１】
複数のコンピュータ装置が表示する画像を、１つの領域内に表示する画像表示装置において、
複数のコンピュータ装置から送信される、複数の画像データ及びカーソル位置情報データを受信する受信手段と、
前記受信した複数の画像データから生成される複数の画像を前記１つの領域内に、並列又は合成して配置する画像配置手段と、
前記受信したカーソル位置情報データに基づいて前記１つの領域内におけるカーソルの位置を設定し、更にカーソル画像を生成し、前記１つの領域内に配置するカーソル配置手段と、
前記１つの領域内に表示されるカーソルの位置及び動きの少なくとも一方の情報に基づいて、前記複数のコンピュータ装置が送信する画像データの帯域値を演算する帯域値演算手段と、
前記画像データの帯域値に基づいて、前記複数のコンピュータ装置のデータ送信量を制御する送信量制御手段と、
を備えることを特徴とする画像表示装置。
【請求項２】
画像配置手段は、複数のコンピュータ装置から送信される画像データから、それぞれのコンピュータ装置上で表示される表示フレームを生成して、これらの表示フレームを１つの領域内に並列して配置することを特徴とする請求項１に記載の画像表示装置。
【請求項３】
帯域値演算手段は、最後に動かしたカーソルのカーソル位置情報データを送信しているコンピュータ装置の画像データの帯域値を上げる演算をすることを特徴とする請求項２に記載の画像表示装置。
【請求項４】
帯域値演算手段は、最後に動かしたカーソルが存在する表示フレームの画像データを送信しているコンピュータ装置の画像データの帯域値を上げる演算をすることを特徴とする請求項２又は請求項３のいずれかに記載の画像表示装置。
【請求項５】
帯域値演算手段は、カーソルが存在する表示フレームの画像データを送信しているコンピュータ装置の画像データの帯域値を上げる演算をすることを特徴とする請求項２に記載の画像表示装置。
【請求項６】
帯域値演算手段は、それぞれのコンピュータ装置の表示フレーム内に存在するカーソルの数から優先度を算出し、この優先度に基づき帯域値を決定することを特徴とする請求項２に記載の画像表示装置。
【請求項７】
帯域値演算手段は、それぞれのコンピュータ装置の表示フレームに存在するカーソル数に所定の数値を足し合わせた数値を、それぞれのコンピュータ装置の優先度として算出し、
画像データの送信に使用される最大帯域値を、前記優先度をすべて足し合わせた数値で除した値に、前記優先度の数値を乗じた値を、それぞれのコンピュータ装置の画像データの帯域値とすることを特徴とする請求項２に記載の画像表示装置。
【請求項８】
画像配置手段は、複数のコンピュータ装置から送信される画像データから、それぞれのコンピュータ装置上で表示される表示フレームを生成して、これらの表示フレームを重ね合わせて一つの画像領域内に合成して配置することを特徴とする請求項１に記載の画像表示装置。
【請求項９】
帯域値演算手段は、最後に動かしたカーソルのカーソル位置情報データを送信しているコンピュータ装置の画像データの帯域値を上げる演算をすることを特徴とする請求項８に記載の画像表示装置。
【請求項１０】
帯域値演算手段は、最後に動かしたカーソルが存在するウインドウ領域の画像データを送信しているコンピュータ装置の画像データの帯域値を上げる演算をすることを特徴とする請求項８又は請求項９のいずれかに記載の画像表示装置。
【請求項１１】
帯域値演算手段は、カーソルが存在するウインドウ領域の画像データを送信しているコンピュータ装置の画像データの帯域値を上げる演算をすることを特徴とする請求項８〜請求項１０のいずれかに記載の画像表示装置。
【請求項１２】
帯域値演算手段は、それぞれのコンピュータ装置のウインドウ領域内に存在するカーソルの数から優先度を算出し、この優先度に基づき帯域値を決定することを特徴とする請求項８に記載の画像表示装置。
【請求項１３】
帯域値演算手段は、それぞれのコンピュータ装置が表示しているウインドウ領域に存在するカーソル数に所定の数値を足し合わせた数値を、それぞれのコンピュータ装置の優先度として算出し、画像データの送信に使用される最大帯域値を、前記優先度をすべて足し合わせた数値で除した値に、前記優先度の数値を乗じた値を、それぞれのコンピュータ装置の画像データの帯域値とすることを特徴とする請求項８に記載の画像表示方法。
【請求項１４】
帯域値演算手段は、複数のコンピュータ装置が送信するカーソル位置情報データの帯域値を、常時所定以上の帯域値を確保し、最大送信帯域値から前記帯域値を引いた値を、画像データの最大帯域値とすることを特徴とする請求項１〜請求項１３のいずれかに記載の画像表示装置。
【請求項１５】
送信量制御手段は、帯域値演算手段が確保したカーソル位置情報データの帯域値を、複数のコンピュータ装置に送信して、複数のコンピュータ装置のカーソル位置情報データの送信量を制御することを特徴とする請求項１４に記載の画像表示装置。
【請求項１６】
送信量制御手段は、帯域値演算手段が演算した画像データの帯域値を、複数のコンピュータ装置に送信して、複数のコンピュータ装置の画像データの送信量を制御することを特徴とする請求項１〜請求項１５のいずれかに記載の画像表示装置。
【請求項１７】
画像データをフロー制御を伴う通信手順で送信する場合において、
送信量制御手段は、
受信手段が受信した単位時間あたりの受信データ量が画像データの帯域値を超えない場合には、送信量制御手段は受信確認信号あるいは次送信要求信号をコンピュータ装置に送信し、
受信手段が受信した単位時間あたりの受信データ量が画像データの帯域値を超えた場合には、送信量制御手段は受信確認信号及び次送信要求信号をコンピュータ装置に送信しない処理をして、複数のコンピュータ装置の画像データの送信量を制御することを特徴とする請求項１〜請求項１５のいずれかに記載の画像表示装置。
【請求項１８】
送信量制御手段は、複数のコンピュータ装置上で表示される表示フレームを１フレームだけ画像表示装置への送信を許可する信号である表示フレーム更新許可信号を、優先度に応じて前記複数のコンピュータ装置に送信することを特徴とする請求項２又は請求項８のいずれかに記載の画像表示装置。
【発明の詳細な説明】
【技術分野】
【０００１】
本発明は、複数のコンピュータから送られる画像データを、一つの領域内に表示させる画像表示装置に関するものである。
【背景技術】
【０００２】
近年、打ち合わせの場において、出席者がそれぞれのコンピュータ（例えばノート型パソコン）に用意した資料を大型の画像表示装置（例えばプロジェクター等）に表示させて打ち合わせをするようになってきている。
【０００３】
もし、出席者がそれぞれ用意した資料を同時に、単一の画面に表示させながら打ち合わせをすることとすると、自分が用意した資料だけでなく、他の出席者が用意した資料と比較しながら話を進めることができ、打ち合わせがスムーズに行くというメリットがある。
【０００４】
そこで、特許文献１に示されるような画像表示システムが提案されている。この画像表示システムは、複数の画像ソースから入力される画像を、ジョイスティックで領域を変更しながら、単一の画面に表示させるシステムである。
【０００５】
しかしながら、このような画像表示システムでは、複数のコンピュータをネットワークで接続すると、伝送帯域を圧迫してフレームレートが上がらないことから、資料が見づらく、打ち合わせがスムーズにいかないという問題があった。また、マウスを操作した場合に、伝送帯域が圧迫されることから表示されるカーソルの動きがスムーズでなく、打ち合わせの進行に支障をきたすという問題があった。
【特許文献１】特開平１１−３０５９１７号公報
【発明の開示】
【発明が解決しようとする課題】
【０００６】
本発明は、上記問題を解決して、単一の画面に表示される資料が見づらくなく、マウスを操作した場合にも、カーソルの動きがスムーズな画像表示装置を提供することを目的とする。
【課題を解決するための手段】
【０００７】
上記課題を解決するために請求項１に記載の発明は、複数のコンピュータ装置が表示する画像を、１つの領域内に表示する画像表示装置において、複数のコンピュータ装置から送信される、複数の画像データ及びカーソル位置情報データを受信する受信手段と、前記受信した複数の画像データから生成される複数の画像を前記１つの領域内に、並列又は合成して配置する画像配置手段と、前記受信したカーソル位置情報データに基づいて前記１つの領域内におけるカーソルの位置を設定し、更にカーソル画像を生成し、前記１つの領域内に配置するカーソル配置手段と、前記１つの領域内に表示されるカーソルの位置及び動きの少なくとも一方の情報に基づいて、前記複数のコンピュータ装置が送信する画像データの帯域値を演算する帯域値演算手段と、前記画像データの帯域値に基づいて、前記複数のコンピュータ装置のデータ送信量を制御する送信量制御手段とを備えることを特徴とする。
【０００８】
また、請求項２に記載の発明の前記画像配置手段は、複数のコンピュータ装置から送信される画像データから、それぞれのコンピュータ装置上で表示される表示フレームを生成して、これらの表示フレームを１つの領域内に並列して配置することを特徴とする。
【０００９】
また、請求項３に記載の発明の前記帯域値演算手段は、最後に動かしたカーソルのカーソル位置情報データを送信しているコンピュータ装置の画像データの帯域値を上げる演算をすることを特徴とする。
【００１０】
また、請求項４に記載の発明の前記帯域値演算手段は、最後に動かしたカーソルが存在する表示フレームの画像データを送信しているコンピュータ装置の画像データの帯域値を上げる演算をすることを特徴とする。
【００１１】
また、請求項５に記載の発明の前記帯域値演算手段は、カーソルが存在する表示フレームの画像データを送信しているコンピュータ装置の画像データの帯域値を上げる演算をすることを特徴とする。
【００１２】
また、請求項６に記載の発明の前記帯域値演算手段は、それぞれのコンピュータ装置の表示フレーム内に存在するカーソルの数から優先度を算出し、この優先度に基づき帯域値を決定することを特徴とする。
【００１３】
また、請求項７に記載の発明の前記帯域値演算手段は、それぞれのコンピュータ装置の表示フレームに存在するカーソル数に所定の数値を足し合わせた数値を、それぞれのコンピュータ装置の優先度として算出し、画像データの送信に使用される最大帯域値を、前記優先度をすべて足し合わせた数値で除した値に、前記優先度の数値を乗じた値を、それぞれのコンピュータ装置の画像データの帯域値とすることを特徴とする。
【００１４】
また、請求項８に記載の発明の前記画像配置手段は、複数のコンピュータ装置から送信される画像データから、それぞれのコンピュータ装置上で表示される表示フレームを生成して、これらの表示フレームを重ね合わせて一つの画像領域内に合成して配置することを特徴とする。
【００１５】
また、請求項９に記載の発明の前記帯域値演算手段は、最後に動かしたカーソルのカーソル位置情報データを送信しているコンピュータ装置の画像データの帯域値を上げる演算をすることを特徴とする。
【００１６】
また、請求項１０に記載の発明の前記帯域値演算手段は、最後に動かしたカーソルが存在するウインドウ領域の画像データを送信しているコンピュータ装置の画像データの帯域値を上げる演算をすることを特徴とする。
【００１７】
また、請求項１１に記載の発明の前記帯域値演算手段は、カーソルが存在するウインドウ領域の画像データを送信しているコンピュータ装置の画像データの帯域値を上げる演算をすることを特徴とする。
【００１８】
また、請求項１２に記載の発明の前記帯域値演算手段は、それぞれのコンピュータ装置のウインドウ領域内に存在するカーソルの数から優先度を算出し、この優先度に基づき帯域値を決定することを特徴とする。
【００１９】
また、請求項１３に記載の発明の前記帯域値演算手段は、それぞれのコンピュータ装置が表示しているウインドウ領域に存在するカーソル数に所定の数値を足し合わせた数値を、それぞれのコンピュータ装置の優先度として算出し、画像データの送信に使用される最大帯域値を、前記優先度をすべて足し合わせた数値で除した値に、前記優先度の数値を乗じた値を、それぞれのコンピュータ装置の画像データの帯域値とすることを特徴とする。
【００２０】
また、請求項１４に記載の発明の前記帯域値演算手段は、複数のコンピュータ装置が送
信するカーソル位置情報データの帯域値を、常時所定以上の帯域値を確保し、最大送信帯域値から前記帯域値を引いた値を、画像データの最大帯域値とすることを特徴とする。
【００２１】
また、請求項１５に記載の発明の前記送信量制御手段は、帯域値演算手段が確保したカーソル位置情報データの帯域値を、複数のコンピュータ装置に送信して、複数のコンピュータ装置のカーソル位置情報データの送信量を制御することを特徴とする。
【００２２】
また、請求項１６に記載の発明の前記送信量制御手段は、帯域値演算手段が演算した画像データの帯域値を、複数のコンピュータ装置に送信して、複数のコンピュータ装置の画像データの送信量を制御することを特徴とする。
【００２３】
また、請求項１７に記載の発明の前記送信量制御手段は、画像データをフロー制御を伴う通信手順で送信する場合において、送信量制御手段は、受信手段が受信した単位時間あたりの受信データ量が画像データの帯域値を超えない場合には、送信量制御手段は受信確認信号あるいは次送信要求信号をコンピュータ装置に送信し、受信手段が受信した単位時間あたりの受信データ量が画像データの帯域値を超えた場合には、送信量制御手段は受信確認信号及び次送信要求信号をコンピュータ装置に送信しない処理をして、複数のコンピュータ装置の画像データの送信量を制御することを特徴とする。
【００２４】
また、請求項１７に記載の発明の送信量制御手段の一例として、画像データをＴＣＰで送信する場合において、受信手段が受信した単位時間あたりの受信データ量が画像データの帯域値を超えない場合には、送信量制御手段はＡＣＫをコンピュータ装置に送信し、受信手段が受信した単位時間あたりの受信データ量が画像データの帯域値を超えた場合には、送信量制御手段はＡＣＫをコンピュータ装置に送信しない処理をして、複数のコンピュータ装置の画像データの送信量を制御することを特徴とする。
【００２５】
また、請求項１８に記載の前記送信量制御手段は、複数のコンピュータ装置上で表示される表示フレームを１フレームだけ画像表示装置への送信を許可する信号である表示フレーム更新許可信号を、優先度に応じて前記複数のコンピュータ装置に送信することを特徴とする。
【発明の効果】
【００２６】
請求項１に記載の発明によれば、画像表示装置は、１つの領域内に表示されるカーソルの位置及び動きの少なくとも一方の情報に基づいて、複数のコンピュータ装置が送信する画像データの帯域値の演算をし、前記画像データの帯域値に基づいて、複数のコンピュータ装置のデータ送信量を制御する。これにより、操作しているもしくは注目されている等、ある特定のコンピュータ装置のみの画像データの帯域値を上げることが可能となり、当該コンピュータ装置の画面が頻繁に更新されることから、単一の画面に表示される資料が見やすい画像表示装置を提供することが可能となる。
【００２７】
また、請求項２に記載の発明によれば、画像配置手段は、複数のコンピュータ装置から送信される画像データから、それぞれのコンピュータ装置上で表示される表示フレームを生成して、これらの表示フレームを１つの領域内に並列して配置する。これにより、自分が用意した資料だけでなく、他の出席者が用意した資料と比較することが可能となる。
【００２８】
また、請求項３に記載の発明によれは、帯域値演算手段は、最後に動かしたカーソルのカーソル位置情報データを送信しているコンピュータ装置の画像データの帯域値を上げる演算をする。これにより、操作しているコンピュータ装置の画像データの帯域値を上げて、当該コンピュータ装置が表示している表示フレームを見やすくすることが可能となる。
【００２９】
また、請求項４に記載の発明によれば、帯域値演算手段は、最後に動かしたカーソルが存在する表示フレームの画像データを送信しているコンピュータ装置の画像データの帯域値を上げる演算をする。これにより、カーソルを最後に動かし、注目されている表示フレームの画像データを送信しているコンピュータ装置の画像データの帯域値を上げて、当該コンピュータ装置が表示している表示フレームを見やすくすることが可能となる。
【００３０】
また、請求項５に記載の発明によれば、帯域値演算手段は、カーソルが存在する表示フレームの画像データを送信しているコンピュータ装置の画像データの帯域値を上げる演算をする。これにより、カーソルが存在し、注目されている表示フレームの画像データを送信しているコンピュータ装置の画像データの帯域値を上げて、当該コンピュータ装置が表示している表示フレームを見やすくすることが可能となる。
【００３１】
また、請求項６に記載の発明によれば、帯域値演算手段は、それぞれのコンピュータ装置の表示フレーム内に存在するカーソルの数から優先度を算出し、この優先度に基づき帯域値を決定する。これにより、カーソルが存在し、注目されている表示フレームの画像データを送信しているコンピュータ装置の画像データの帯域値を上げて、当該コンピュータ装置が表示している表示フレームを見やすくすることが可能となる。
【００３２】
また、請求項７に記載の発明によれば、帯域値演算手段は、それぞれのコンピュータ装置の表示フレームに存在するカーソル数に所定の数値を足し合わせた数値を、それぞれのコンピュータ装置の優先度として算出し、画像データの送信に使用される最大帯域値を、前記優先度をすべて足し合わせた数値で除した値に、前記優先度の数値を乗じた値を、それぞれのコンピュータ装置の画像データの帯域値とする。これにより、カーソルが存在し、注目されている表示フレームの画像データを送信しているコンピュータ装置の画像データの帯域値を上げて、当該コンピュータ装置が表示している表示フレームを見やすくすることが可能となる。
【００３３】
また、請求項８に記載の発明によれば、前記画像配置手段は、複数のコンピュータ装置から送信される画像データから、それぞれのコンピュータ装置上で表示される表示フレームを生成して、これらの表示フレームを重ね合わせて一つの画像領域内に合成して配置する。これにより、自分が用意した資料だけでなく、他の出席者が用意した資料と比較することが可能となる。また、それぞれのコンピュータ装置が表示しているウインドウ領域を１つの領域内に、広く表示することが可能となり、それぞれのウインドウ領域を見やすくすることが可能となる。
【００３４】
また、請求項９に記載の発明によれば、帯域値演算手段は、最後に動かしたカーソルのカーソル位置情報データを送信しているコンピュータ装置の画像データの帯域値を上げる演算をする。これにより、操作しているコンピュータ装置の画像データの帯域値を上げて、当該コンピュータ装置が表示している表示フレームを見やすくすることが可能となる。
【００３５】
また、請求項１０に記載の発明によれば、帯域値演算手段は、最後に動かしたカーソルが存在するウインドウ領域の画像データを送信しているコンピュータ装置の画像データの帯域値を上げる演算をする。これにより、カーソルを最後に動かし、注目されている表示フレームの画像データを送信しているコンピュータ装置の画像データの帯域値を上げて、当該コンピュータ装置が表示している表示フレームを見やすくすることが可能となる。
【００３６】
また、請求項１１に記載の発明によれば、帯域値演算手段は、カーソルが存在するウインドウ領域の画像データを送信しているコンピュータ装置の画像データの帯域値を上げる演算をする。これにより、カーソルが存在し、注目されているウインドウ領域の画像データを送信しているコンピュータ装置の画像データの帯域値を上げて、当該コンピュータ装
置が表示している表示フレームを見やすくすることが可能となる。
【００３７】
また、請求項１２に記載の発明によれば、帯域値演算手段は、それぞれのコンピュータ装置のウインドウ領域内に存在するカーソルの数から優先度を算出し、この優先度に基づき帯域値を決定する。これにより、カーソルが存在し、注目されているウインドウ領域の画像データを送信しているコンピュータ装置の画像データの帯域値を上げて、当該コンピュータ装置が表示している表示フレームを見やすくすることが可能となる。
【００３８】
また、請求項１３に記載の発明によれは、帯域値演算手段は、それぞれのコンピュータ装置が表示しているウインドウ領域に存在するカーソル数に所定の数値を足し合わせた数値を、それぞれのコンピュータ装置の優先度として算出し、画像データの送信に使用される最大帯域値を、前記優先度をすべて足し合わせた数値で除した値に、前記優先度の数値を乗じた値を、それぞれのコンピュータ装置の画像データの帯域値とする。これにより、カーソルが存在し、注目されているウインドウ領域の画像データを送信しているコンピュータ装置の画像データの帯域値を上げて、当該コンピュータ装置が表示している表示フレームを見やすくすることが可能となる。
【００３９】
また、請求項１４に記載の発明によれば、帯域値演算手段は、複数のコンピュータ装置が送信するカーソル位置情報データの帯域値を、常時所定以上の帯域値を確保し、最大送信帯域値から前記帯域値を引いた値を、画像データの最大帯域値とする。これにより、画像表示装置に接続されるコンピュータ装置の接続台数や、コンピュータ装置が送信する画像データのデータ量に影響されないことから、表示画面に表示されるカーソルの動きをスムーズにすることが可能となる。
【００４０】
また、請求項１５に記載の発明によれば、送信量制御手段は、帯域値演算手段が確保したカーソル位置情報データの帯域値を、複数のコンピュータ装置に送信する。これにより複数のコンピュータ装置のカーソル位置情報データの送信量を制御することが可能となる。
【００４１】
また、請求項１６に記載の発明によれば、送信量制御手段は、帯域値演算手段が演算した画像データの帯域値を、複数のコンピュータ装置に送信する。これにより、複数のコンピュータ装置の画像データの送信量を制御することが可能となる。
【００４２】
また、請求項１７に記載の発明によれば、送信量制御手段は、画像データをフロー制御を伴う通信手順で送信する場合において、受信手段が受信した単位時間あたりの受信データ量が画像データの帯域値を超えない場合には、送信量制御手段は受信確認信号あるいは次送信要求信号をコンピュータ装置に送信し、受信手段が受信した単位時間あたりの受信データ量が画像データの帯域値を超えた場合には、送信量制御手段は受信確認信号及び次送信要求信号をコンピュータ装置に送信しない処理をする。これにより、複数のコンピュータ装置の画像データの送信量を制御することが可能となる。
【００４３】
また、請求項１８に記載の発明によれば、送信量制御手段は、複数のコンピュータ装置上で表示される表示フレームを１フレームだけ画像表示装置への送信を許可する信号である表示フレーム更新許可信号を、優先度に応じて前記複数のコンピュータ装置に送信する。これにより、優先度が低いコンピュータ装置の表示フレームの更新は遅くなる一方で、優先度が高いコンピュータ装置の表示フレームの更新を早くすることが可能となり、コンピュータ装置が表示している表示フレームを見やすくすることが可能となる。
【発明を実施するための最良の形態】
【００４４】
以下に、図面を参照しつつ本発明の好ましい実施の形態を示す。
図１は本発明の画像表示装置を用いた画像表示システムの構成図である。図１に示されるように、画像表示システム１００は、画像データを送信する複数のコンピュータ装置５０ａ〜５０ｄ（図上ではそれぞれ、ＰＣ１〜ＰＣ４と表記する）と、これらコンピュータ装置５０ａ〜５０ｂが送信する「画像データ」を、表示画像８０もしくは表示画像８１として表示する画像表示装置１と、複数のコンピュータ装置５０ａ〜５０ｄと画像表示装置１とを接続して、データを通信する通信手段６０から構成されている。
【００４５】
なお、本実施形態では、画像表示装置１は、プロジェクターであり、スクリーン７５（図３に示す）等に表示画像８０もしくは表示画像８１を投影して表示するものである。
【００４６】
なお、画像表示装置１にデータを送信するコンピュータ装置５０ａ〜５０ｄは、図１に示されるように４台に限定されず、２台であっても、３台であっても、５台以上であってもよい。以下、４台のコンピュータ装置５０ａ〜５０ｄが単一の画像表示装置１に画像データを送信する実施形態について説明をする。
【００４７】
なお、コンピュータ装置５０ａ〜５０ｄは、画像やカーソル８２ａ〜８２ｄを表示するものであればすべて含まれ、例えば、ウインドウズ（登録商標）、マッキントッシュ（登録商標）、リナックス（登録商標）、ＭＳ−ＤＯＳ（登録商標）等のＯＳ（オペレーティングシステム）を用いた、いわゆるパーソナルコンピュータや、ＰＤＡ（Ｐｅｒｓｏｎａｌ  Ｄｉｇｉｔａｌ  Ａｓｓｉｓｔａｎｔの略、携帯情報端末）、ワークステーション、大型汎用コンピュータ等も含めることができる。
【００４８】
コンピュータ装置５０ａ〜５０ｄには、ポインティングディバイスの一形態であるマウス５１ａ〜５１ｄがそれぞれ接続されており、操作者がマウス５１ａ〜５１ｄを操作すると、その操作により得られたポインティングディバイスの信号が、コンピュータ装置５０ａ〜５０ｄに対して出力される。ポインティングディバイスの信号として、「カーソル位置情報データ」や「ポインティングディバイス押下信号」等がある。「カーソル位置情報データ」は、例えば（Ｘｐ、Ｙｐ）のようなＸ座標、Ｙ座標で表される数値のデータであり、これらのＸ座標、Ｙ座標のデータからカーソル８２ａ〜８２ｄの位置を２次元で表現するようになっていて、操作者がポインティングディバイスであるマウス５１を上下左右に動かすと、「カーソル位置情報データ」のＸ座標、Ｙ座標の数値を増減・加減するようになっている。また、「ポインティングディバイス押下信号」は、操作者がポインティングディバイスであるマウス５１のボタンを押下した場合に出力される信号であり、ポインティングディバイスのボタンを素早く離した場合のいわゆる「クリック」や、当該ボタンを押してから離すまでの間にポインティングディバイスを移動するいわゆる「ドラッグ」の信号を含む。なお、ポインティングディバイスは、マウス５１に限定されず、トラックボール、トラックパッド、ポインティングスティック、ペンタブレット等のポインティングディバイスであっても差し支えない。また、キーボード５２でカーソル８２を操作する場合には、キーボード５２もポインティングディバイスに含まれる。以下、ポインティングディバイスとしてマウス５１を用いた例について説明をする。
【００４９】
表示画像８０は、それぞれのコンピュータ装置５０ａ〜５０ｄ上で表示される、それぞれの表示フレーム８５ａ〜８５ｄ及びそれぞれのカーソル８２ａ〜８２ｄを、１つの領域内に並列して表示した画像である。表示フレーム８５ａ〜８５ｄには、ボタン、ダイヤログボックス、ウインドウ領域８６ａ〜８６ｄ、８７ａ〜８７ｄ等の画像が含まれる。なお、表示画像８０に表示されるそれぞれのコンピュータ装置５０ａ〜５０ｂのカーソル８２ａ〜８２ｂは、それぞれのコンピュータ装置５０ａ〜５０ｄのマウス５１で操作することができ、表示フレーム８５ａ〜８５ｄを跨いで移動させることができるようになっている。
【００５０】
表示画像８１は、コンピュータ装置５０ａ〜５０ｄ上で表示される表示フレーム８５ａ〜８５ｄ及びカーソル８２ａ〜８２ｄを、１つの領域内に重ね合わせて合成して表示した画像である。表示画像８１に表示されるそれぞれのコンピュータ装置５０ａ〜５０ｂのカーソル８２ａ〜８２ｄは、それぞれのコンピュータ装置５０ａ〜５０ｄのマウス５１ａ〜５１ｄで操作することができる。
【００５１】
本発明の画像表示装置１は、図１に示される表示画像８０もしくは表示画像８１のいずれか一方、又は両方を表示することができる。
【００５２】
一般に用いられている通常のコンピュータ装置５０ａ〜５０ｄの使用状態では、コンピュータ装置５０ａ〜５０ｄが「カーソル位置情報データ」や「ポインティングディバイス押下信号」を取得すると、その取得した「カーソル位置情報データ」や「ポインティングディバイス押下信号」に基づいてディスプレー上に表示しているカーソル８２を移動させる処理を行ったり、「カーソル位置情報データ」や「ポインティングディバイス押下信号」を、コンピュータ装置５０ａ〜５０ｄのアプリケーションプログラムに渡す処理したりする。
【００５３】
しかし、本発明の実施形態では、コンピュータ装置５０ａ〜５０ｄは、カーソル８２ａ〜８２ｄを移動させる処理、並びにカーソル８２ａ〜８２ｄの「カーソル位置情報データ」や「ポインティングディバイス押下信号」をアプリケーションプログラムに渡す処理を行わずに、「カーソル位置情報データ」及び「ポインティングディバイス押下信号」を、通信手段６０を介して画像表示装置１に送信する機能を備えている。
【００５４】
また、本発明の実施形態でコンピュータ装置５０ａ〜５０ｄは、キーボード５２等の入力手段の「カーソル位置情報データ」や「ポインティングディバイス押下信号」を、通信手段６０を介して画像表示装置１に送信する機能を備えている。
【００５５】
コンピュータ装置５０ａ〜５０ｄは、画像表示装置１から「カーソル位置情報データ」や「ポインティングディバイス押下信号」を受信して、その「カーソル位置情報データ」や「ポインティングディバイス押下信号」を、コンピュータ装置５０ａ〜５０ｄのアプリケーションプログラムに引き渡す機能を備えている。
【００５６】
図１に示す実施形態では、コンピュータ装置５０ａ〜５０ｄに接続されているマウス５１ａ〜５１ｄを操作することによって、画像表示装置１が独自に表示しているカーソル８２ａ〜８２ｄを移動させることが可能となる。
【００５７】
また、画像表示装置１は、通信手段６０を介して接続されているコンピュータ装置５０ａ〜５０ｄから、画像データを受信して、画像データに基づいた表示画像８０もしくは表示画像８１を表示する機能を備えている。
【００５８】
また、画像表示装置１は、通信手段６０を介して接続されているコンピュータ装置５０ａ〜５０ｄから「カーソル位置情報データ」を受信して、当該受信した「カーソル位置情報データ」に基づいて、カーソル８２ａ〜８２ｄの画像を、表示画像８０もしくは表示画像８１に表示させる機能を備えている。
【００５９】
画像表示装置１は、カーソル８２ａ〜８２ｄが存在している表示フレーム８５ａ〜８５ｄいずれかから、当該表示フレーム８５ａ〜８５ｄの画像データを送信しているコンピュータ装置５０ａ〜５０ｄのいずれかを特定して、その特定したコンピュータ装置５０ａ〜５０ｄに対して「カーソル位置情報データ」や「ポインティングディバイス押下信号」を送信する機能を備えている。
【００６０】
これにより、カーソル８２ａ〜８２ｄが存在している表示フレーム８５ａ〜８５ｄのいずれかを出力しているコンピュータ装置５０ａ〜５０ｄのいずれかに対して、画像表示装置１側で表示しているカーソル８２ａ〜８２ｄのいずれかの「カーソル位置情報データ」や「ポインティングディバイス押下信号」を送信することができ、複数のコンピュータ装置５０ａ〜５０ｄを操作している操作者が、表示画像８０もしくは表示画像８１に表示されているボタン、ダイヤログボックス、ウインドウ領域８６ａ〜８６ｄ、８７ａ〜８７ｄの操作を行うことが可能となる。
【００６１】
その結果、画像表示装置１により表示された表示画像８０もしくは表示画像８１を見ながら一のコンピュータ装置５０ａ〜５０ｄを操作している操作者が、他のコンピュータ装置５０ａ〜５０ｄから出力された、ボタン、ダイヤログボックス、ウインドウ領域８６ａ〜８６ｄ、８７ａ〜８７ｄ等の画像を操作することが可能となり、画像表示装置１により表示されている画像を修正等する際に当該画像を表示しているコンピュータ装置５０ａ〜５０ｄの操作者に対して修正等の指示を行うことなく、各コンピュータ装置５０ａ〜５０ｄの操作者が直接修正等を行うという共同作業が可能となる。
【００６２】
次に通信手段６０について説明をする。通信手段６０は、例えば図１に示されるように、複数の通信線６２、６３が接続されるハブ６１と、このハブ６１と複数のコンピュータ装置５０ａ〜５０ｄを接続する通信線６２と、ハブ６１と画像表示装置１を接続する通信線６３とから構成されている。通信線６２はコンピュータ装置５０ａ〜５０ｄのネットワーク接続部に接続している。通信線６３は図２に示される画像表示装置１のネットワーク接続部１０に接続している。
【００６３】
なお、コンピュータ装置５０ａ〜５０ｄのネットワーク接続部及び、画像表示装置１のネットワーク接続部１０のインターフェースとして、ＬＡＮ（Ｌｏｃａｌ  Ａｒｅａ  Ｎｅｔｗｏｒｋ）や、ＵＳＢ（Ｕｎｖｅｒｓａｌ  Ｓｅｒｉａｌ  Ｂｕｓの略、ＵＳＢ１．０、ＵＳＢ１．１、ＵＳＢ２．０を含む）、ＩＥＥＥ１３９４、ＲＳ２３２、ＲＳ４２２その他通信インターフェースを含めることができ、通信線６２と通信線６３は、これらのインターフェースに対応した通信線となっている。
【００６４】
あるいは通信手段６０として、無線を用いたものであってもよく、この場合のインターフェースとしては、ＩＥＥＥ８０２に規定されているいわゆる無線ＬＡＮやＢｌｕｅｔｏｏｔｈ、その他の無線インターフェースを含めることができる。この場合には、コンピュータ装置５０ａ〜５０ｄのネットワーク接続部及び、画像表示装置１のネットワーク接続部１１は、前記無線のインターフェースを用いたものとなっている。
【００６５】
また、図１に示される通信手段６０には、図３に示すように、いわゆるインターネットやイントラネットを含めることもでき、コンピュータ装置５０ａ〜５０ｂは、イントラネットやインターネット等のネットワークに接続されて、「画像データ」や「カーソル位置情報データ」、「ポインティングディバイス押下信号」を画像表示装置１に送信するようにしても差し支えない。なお、図３において、６５はイントラネット、６６はインターネット、６７はハブ、６８はスイッチ、６９はルータ、７０はサーバー、７１はファイヤーウォール、７２は無線ＬＡＮのアクセスポイントを示す。
【００６６】
以下に、画像表示装置１の説明をする。ネットワーク接続部１０は、通信手段６０を介して、コンピュータ装置５０ａ〜５０ｄから送信される、「画像データ」や「カーソル位置情報データ」、「ポインティングディバイス押下信号」を受信する受信手段１０ａとしての役割をしている。
【００６７】
図２に示されるように、画像表示装置１は、ランプ駆動回路２１から供給される電力により発光するランプ等の光源２２と、この光源２２が発光した拡散光を集光し、より均一な照明光をＬＣＤ２４（Ｌｉｑｕｉｄ  Ｃｌｙｓｔａｌ  Ｄｉｓｐｌａｙの略、液晶表示素子）に照射する照明光学系２３と、照明光を入力して各画素に階調を表現して画像を生成するＬＣＤ２４と、このＬＣＤ２４が生成した画像をスクリーン７５に投影する結像光学系２５とを備えている。なお、ＬＣＤ２４の代わりに、ＤＭＤ（Ｄｉｇｉｔａｌ  Ｍｉｃｒｏｍｉｒｒｏｒ  Ｄｅｖｉｃｅ）を用いても差し支えない。結像光学系２５は多数のレンズから構成されていて、ピント調整機構２６により自動的に焦点が合わされ、ＬＣＤ２４を透過した照明光が、スクリーン７５に結像するようになっている。
【００６８】
画像表示装置１には、コンピュータ装置から画像信号を取得する、Ｄ−ＳＵＢ端子、ＤＶＩ−Ｄ端子等の画像信号入力部２７が設けられているが、本発明ではコンピュータ装置５０ａ〜５０ｄから送信される「画像データ」や「カーソル位置情報データ」、「ポインティングディバイス押下信号」は、ネットワーク接続部１０で受信するので、画像信号入力部２７は本発明表示装置１には必ずしも必須ではない。
【００６９】
３１はカーソル配置手段であり、受信手段１０ａが取得した、コンピュータ装置５０ａ〜５０ｄが送信する「カーソル位置情報データ」をバス２９を介して取得し、この「カーソル位置情報データ」から、表示画像８０もしくは表示画像８１におけるカーソル８２の位置を設定し、更にカーソル８２画像を生成して配置する処理を行う。
【００７０】
３２は画像配置手段であり、受信手段１０ａが取得したそれぞれのコンピュータ装置５０ａ〜５０ｄが送信する「画像データ」を、バス２９を介して取得し、この「画像データ」から、それぞれのコンピュータ装置５０ａ〜５０ｄ上で表示される前述した表示フレームを生成し、この表示フレームを表示画面８０に並列して配置し、もしくは、前記表示フレームを表示画面８１に重ね合わせて合成して配置する処理を行う。
【００７１】
２８は画像処理回路であり、画像信号入力部２７から入力された画像データもしくは、カーソル配置手段３１及び画像配置手段３２がそれぞれ画像処理した画像データをバス２９を経由して取得し、必要に応じてシャープネス補正、ガンマ補正、コントラスト補正、ホワイトバランス補正、台形補正等の画像処理を行うものである。３０はＬＣＤ駆動回路であり、画像処理回路２８から取得した「画像データ」に基づいて、ＬＣＤ２４の信号電極に印加する信号電極駆動信号、及び走査電極に印加する走査電極駆動信号を出力する。ＬＣＤ２４は、ＬＣＤ駆動回路３０から取得した信号電極軌道信号及び走査電極駆動信号に基づいて画像を生成する。
【００７２】
３３はマイクロコンピュータであり、バス２９の統括制御等の各種制御をする。この制御には、カーソル８２ａ〜８２ｄが存在している表示フレーム８５ａ〜８５ｄいずれかから、当該表示フレーム８５ａ〜８５ｄの画像データを送信しているコンピュータ装置５０ａ〜５０ｄのいずれかを判定して、その判定したコンピュータ装置５０ａ〜５０ｄに対して、「カーソル位置情報データ」や「ポインティングディバイス押下信号」を送信するために、これらの「カーソル位置情報データ」や「ポインティングディバイス押下信号」を、送信手段１０ｂに出力する制御が含まれる。
【００７３】
ネットワーク接続部１０は送信手段１０ｂとしての役割もしていて、コンピュータ装置５０ａ〜５０ｄに各種データを送信する。各種データには、「カーソル位置情報データ」や「ポインティングディバイス押下信号」等を含む。
【００７４】
３４は記憶装置であり、ハードディスクやＲＯＭ（Ｒｅａｄ  Ｏｎｌｙ  Ｍｅｍｏｒｙ）、フラッシュメモリー等が用いられる。この記憶装置３４はパラメータ格納部３４ａと
制御ソフト格納部３４ｂ等から構成され、バス２９に接続している。パラメータ格納部３４ａは、後述する各コンピュータ装置５０ａ〜５０ｄの「画像データの帯域値」が格納されるようになっている。また、制御ソフト格納部３４ｂには、画像表示装置１を統括制御するアプリケーションソフトが格納されている。
【００７５】
３５はＲＯＭ（Ｒｅａｄ  Ｏｎｌｙ  Ｍｅｍｏｒｙ）、フラッシュメモリー等の不揮発性メモリーであり、画像処理装置１の各種設定条件のデータが保存されている。
【００７６】
３６は制御パネルであり、画像処理装置１の各種設定を変更するためのものである。この各種設定には、表示画面を、表示画面８０にするか表示画面８１にするかを選択したり、表示画面８０において、それぞれのコンピュータ装置５０ａ〜５０ｄが表示している、表示フレーム８５ａ〜８５ｄの領域を変更したり、配置の場所を変更したりする設定が含まれる。３７は赤外線制御部であり、操作者がリモコン（図示せず）を用いてした前記画像処理装置１の各種設定の変更を、赤外線受光部３８を介して取得し、前記画像処理装置１の各種設定の変更をするためのものである。
【００７７】
３９は帯域値演算手段であり、バス２９と接続している。この帯域値演算手段３９は、表示画像８０もしくは表示画像８１に表示されるカーソル８２ａ〜８２ｄの位置及び動きの少なくとも一方の情報に基づき、複数のコンピュータ装置５０ａ〜５０ｄが送信する「画像データ」の帯域値を演算するものである。
【００７８】
４０は送信量制御手段であり、バス２９と接続している。この送信量制御手段４０は、帯域値演算手段３９が演算した「画像データの帯域値」に基づいて、複数のコンピュータ装置５０ａ〜５０ｄが画像表示装置１に送信するデータ送信量を制御するものである。
【００７９】
次に、各コンピュータ装置５０ａ〜５０ｄが「画像データ」や「カーソル位置情報データ」等を画像表示装置１に送信する際の「帯域値」について説明する。各コンピュータ装置５０ａ〜５０ｄが画像表示装置１送信する「画像データ」や「カーソル位置情報データ」等のデータを送信するための「最大送信帯域値」は、ネットワーク接続部１０のインターフェースの種類によって、予め画像表示装置１に設定されている。
【００８０】
帯域値演算手段３９は、各コンピュータ装置５０ａ〜５０ｄが送信する「カーソル位置情報データの帯域値」を、常時所定以上確保する。この所定以上の帯域値は、表示画面８０もしくは表示画面８１に表示されるカーソル８２ａ〜８２ｄの動きをスムーズにするのに十分な帯域値である。
【００８１】
送信量制御手段４０は、帯域値演算手段３９が確保した「カーソル位置情報データの帯域値」を、送信手段１０ｂであるネットワーク接続部１０を介して、各コンピュータ装置５０ａ〜５０ｄに送信する。「カーソル位置情報データの帯域値」は、各コンピュータ装置５０ａ〜５０ｄが取得し、当該「カーソル位置情報データの帯域値」を上限に、各コンピュータ装置５０ａ〜５０ｄが「カーソル位置情報データ」を画像表示装置１に送信する。このように、帯域値演算手段３９が、「カーソル位置情報データの帯域値」を、常時所定以上確保し、この「カーソル位置情報データ」を、複数のコンピュータ装置５０ａ〜５０ｄに送信して、複数のコンピュータ装置５０ａ〜５０ｄの「カーソル位置情報データ」の画像表示装置１への送信量を制御することとしたので、画像表示装置１に接続されるコンピュータ装置５０の接続台数や、コンピュータ装置５０が送信する「画像データ」のデータ量に影響されないことから、表示画面８０や表示画面８１に表示されるカーソル８２ａ〜８２ｄの動きをスムーズにすることが可能となる。
【００８２】
図４にカーソル８２が１個の場合の表示画像８０の説明図を示し、図５及び図６に図４
の表示画像８０の詳細図を示し、図７に第１の実施形態のフローチャートを示し、以下に第１の実施形態の説明をする。
【００８３】
図７において、画像表示装置１を起動すると、制御ソフト格納部３４ｂに格納されたアプリケーションソフトが起動し、Ｓ１１「アプリケーションが起動」からＳ１２「ＰＣ接続完了」の判断に進む。
【００８４】
このＳ１２「ＰＣ接続完了」の判断にて、コンピュータ装置５０が通信手段６０を介して、画像表示装置１と接続しているか否かを判断する。コンピュータ装置５０が画像表示装置１と接続している判断した場合には、Ｓ１３「ＰＣ接続台数から表示フレーム領域を指定」の処理に進む。
【００８５】
Ｓ１３の処理にて、コンピュータ装置５０の接続台数を計数し、コンピュータ装置５０の接続台数から、画像配置手段３２が表示画面８０内における表示フレーム８５の領域を指定し、コンピュータ装置５０が接続から送信される「画像データ」から、それぞれのコンピュータ装置５０上で表示される表示フレーム８５を生成して、表示フレーム８５を表示画面８０に並列して配置する処理をする。本実施形態のように、４台のコンピュータ装置５０ａ〜５０ｄが通信手段６０を介して画像処理装置１に接続している場合には、画像配置手段３２は、例えば図４〜図６に示されるように、表示画面８０を横２列、縦２行に４分割した領域を、表示フレーム８５ａ〜８５ｄの領域として指定し、コンピュータ装置５０ａ〜５０ｄ上で表示される表示フレーム８５ａ〜８５ｄを生成して、表示フレーム８５ａ〜８５ｄを前記領域に並列して配置する処理をする。
【００８６】
図５に示されるように、表示フレーム８５ａ〜８５ｄ上には、それぞれのコンピュータ装置５０ａ〜５０ｄが表示している、ウインドウ領域８６ａ〜８６ｄ、８７ａ〜８７ｄが表示されている。
【００８７】
この第１の実施形態では、コンピュータ装置５０ａ〜５０ｄの操作者が、所定の時間内にマウス５１を操作しなかった場合には、カーソル８２の画像が、表示画像８０から消えるようになっている。
【００８８】
画像表示装置１が起動した後に、コンピュータ装置５０ａの操作者が、初めてマウス５１を操作した場合には、コンピュータ装置５０ａから、「カーソル位置情報データ」が通信手段６０を介して受信手段１０ａに送信され、前記「カーソル位置情報データ」を受信した受信手段１０ａは、バス２９を介してカーソル配置手段３１に出力する。
【００８９】
「カーソル位置情報データ」を取得したカーソル配置手段３１は、この「カーソル位置情報データ」に基づき、表示画像８０内におけるカーソル位置を設定し、カーソル８２画像を生成して、表示画像８０に配置する。画像表示装置１が起動した後に、初めてコンピュータ装置５０ａの操作者がマウス５１ａを操作したので、図５に示されるように、コンピュータ装置５０ａが表示しているカーソル８２は、コンピュータ装置５０ａが表示している表示フレーム８５ａ上に配置される。Ｓ１３の処理が終了すると、Ｓ１４「カーソル移動？」の判断に進む。
【００９０】
Ｓ１４の判断にて、カーソル８２が移動したと判断された場合には、Ｓ１５「カーソルが表示フレームを横切った？」の判断に進む。
【００９１】
コンピュータ装置５０ａの操作者が、マウス５１ａを操作して、カーソル８２を表示フレーム８５ｄ側に移動させると、表示画面８０上に表示されているカーソル８２は、表示フレーム８５ａと表示フレーム８５ｄとの間を横切って、表示フレーム８５ｄ上に表示さ
れる。（図６の状態）この場合に、Ｓ１５の判断において、Ｓ１６「どのＰＣの表示レームか判定」の処理に進む。
【００９２】
このコンピュータ装置５０ａの操作者が、マウス５１ａを操作をしている間、コンピュータ装置５０ａは、「カーソル位置情報データ」を受信手段１０ａに送信し続け、カーソル位置配置手段３１が、カーソル８２を表示画像８０上に配置して表示する。
【００９３】
表示画面８０上に表示されているカーソル８２は、表示フレーム８５ａと表示フレーム８５ｄとの間を横切る際に、コンピュータ装置５０ａのディスプレー５３ａから、カーソル８２は消えるが、コンピュータ装置５０ａの操作者は、表示画面８０上に表示されているカーソル８２を操作し続けることができる。
【００９４】
Ｓ１６の処理にて、カーソル８２が存在している表示フレーム８５ｄから、当該表示フレーム８５ｄの画像データを送信しているコンピュータ装置５０ｄを判定する。送信手段１０ｂは、判定したコンピュータ装置５０ｄに対して「カーソル位置情報データ」や「ポインティングディバイス押下信号」を送信する処理をする。
【００９５】
コンピュータ装置８５ｄが、「カーソル位置情報データ」や「ポインティングディバイス押下信号」を受信して取得すると、コンピュータ装置５０ｄは、取得した「カーソル位置情報データ」や「ポインティングディバイス押下信号」に基づいて、コンピュータ装置５０ｄのディスプレー５３ｄ上に表示し、「カーソル位置情報データ」や「ポインティングディバイス押下信号」をコンピュータ装置５０ｄのアプリケーョンプログラムに渡す。
【００９６】
これにより、コンピュータ装置５０ａの操作者は、表示フレーム８５ｄ内に表示されている、ボタン、ダイヤログボックス、ウインドウ領域８６ｄ、８７ｄの操作を行うことできる。Ｓ１６の判断が終了すると、Ｓ１７「判定結果のＰＣを優先と判定」の処理に進む。
【００９７】
Ｓ１７の処理にて、帯域値演算手段３９は、カーソル８２が存在する表示フレーム８５ｄを表示しているコンピュータ装置５０ｄを優先と判定する。Ｓ１７の判断が終了すると、Ｓ１８「画像データの帯域値変更」の処理に進む。
【００９８】
Ｓ１８の処理にて、帯域値演算手段３９は、優先と判定したコンピュータ装置５０ｄの、表示フレーム８５ｄの「画像データ」を受信手段１０ａに送信するための帯域値を上げる演算をして、画像表示装置１に接続されているコンピュータ装置５０ａ〜５０ｄそれぞれの、表示フレーム８５ａ〜８５ｄの画像データを受信手段１０ａに送信するための帯域値（以下「画像データの帯域値」とする）を変更する処理をする。
【００９９】
前述したように、「最大送信帯域値」は、ネットワーク接続部１０のインターフェースの種類によって、予め画像表示装置１に設定されている。帯域値演算手段３９は、「最大送信帯域値」から、「カーソル位置情報データの帯域値」を引いた値を、各コンピュータ装置５０ａ〜５０ｄが画像表示装置１に「画像データ」を送信するために使用される「画像データの最大帯域値」とする処理をする。以下便宜的に、「画像データの最大帯域値」を１００Ｍｂｐｓとして、それぞれのコンピュータ装置５０ａ〜５０ｄの画像データの帯域値の算出方法を具体的に説明する。
【０１００】
Ｓ１８の処理において、帯域値演算手段３９は以下のような処理をする。それぞれのコンピュータ装置５０ａ〜５０ｄが「所定の優先度」（例えば１）を予め持っているとする。あるコンピュータ装置５０が、カーソル８２が存在している表示フレーム８５を表示している場合には前記「所定の優先度」に、「所定の数値」（例えば１）を足し合わせた数
値を、当該コンピュータ装置５０の「優先度」とする。例えば、前記「所定の優先度」が１で、前記「所定の数値」が１の場合には、カーソル８２が存在している表示フレーム８５を表示しているコンピュータ装置５０の「優先度」は２となる。この場合には、他のコンピュータ装置５０の「優先度」は１となる。最大帯域値である１００Ｍｂｐｓをそれぞれのコンピュータ装置５０ａ〜５０ｄの「優先度」をすべて足し合わせた数値で除した値に、それぞれのコンピュータ装置５０ａ〜５０ｄの「優先度」で乗じた値を、それぞれのコンピュータ装置５０ａ〜５０ｄの「画像データの帯域値」として算出する。なお、前記「所定の優先度」及び「所定の数値」は、１に限定されず、任意に設定することができるものとする。
【０１０１】
前記「所定の優先度」及び「所定の数値」を両方とも１とすると、それぞれのコンピュータ装置５０ａ〜５０ｄの優先度は以下の表１のようになる。
【０１０２】
【表１】
2008191354.tif 000003
【０１０３】
表１から明らかなように、カーソル８２が存在している表示フレーム８５ａを表示しているコンピュータ装置５０ａの「画像データの帯域値」が、他のコンピュータ装置５０ｂ、５０ｃ、５０ｄの「画像データの帯域値」よりも高いことわかる。
【０１０４】
また、前記「所定の優先度」及び「所定の数値」を両方とも１とした場合において、図６に示される状態では、カーソル８２は表示フレーム８５ｄ上に存在しているので、それぞれのコンピュータ装置５０ａ〜５０ｄの優先度は以下の表２のようになる。
【０１０５】
【表２】
2008191354.tif 000004
【０１０６】
表２から明らかなように、カーソル８２が存在している表示フレーム８５ｄを表示しているコンピュータ装置５０ｄの「画像データの帯域値」が、他のコンピュータ装置５０ａ、５０ｂ、５０ｃの「画像データの帯域値」よりも高いことわかる。このように、Ｓ１５の判断にて、表示フレーム８５ａと表示フレーム８５ｄの間をカーソル８２が横切ると、Ｓ１８の処理にて、帯域値演算手段３９が各コンピュータ装置５０ａ〜５０ｄの「画像データの帯域値」を変更する処理をする。
【０１０７】
帯域値演算手段３９が、各コンピュータ装置５０ａ〜５０ｄの「画像データの帯域値」を変更すると、送信量制御手段４０が、各コンピュータ装置５０ａ〜５０ｄの「画像データの帯域値」を、各コンピュータ装置５０ａ〜５０ｄに送信する。各コンピュータ装置５０ａ〜５０ｄは、前記「画像データの帯域値」を上限として、画像データを画像表示装置１に送信するようになっている。
【０１０８】
図８に、各コンピュータ装置５０ａ〜５０ｄに、「画像データの帯域値」を送信して、各コンピュータ装置５０ａ〜５０ｄの「画像データ」の送信量を制御するフローを示し、以下このフローについて説明する。
【０１０９】
まず、図８の画像表示装置側フローについて説明をする。Ｓ１８の処理にて、帯域値演算手段３９が、各コンピュータ装置５０ａ〜５０ｄの「画像データの帯域値」を変更すると、Ｓ３０「帯域変更」から、Ｓ３１「ＰＣ接続中」の判断に進む。Ｓ３１の判断にて、コンピュータ装置５０ａ〜５０ｄが、通信手段６０を介して、画像表示装置１に接続されているかを判断する。
【０１１０】
Ｓ３１にて、コンピュータ装置５０が、画像表示装置１に接続されていると判断した場合には、Ｓ３２「ＰＣへ画像データの帯域値を送信」の処理に進み、このＳ３２の処理にて、送信量制御手段４０は、送信手段１０ｂであるネットワーク接続部１０から、各コンピュータ装置５０ａ〜５０ｄに、各コンピュータ装置５０ａ〜５０ｄの「画像データの帯域値」を送信して、Ｓ３３「ＰＣ接続台数分送信？」の判断に進む。
【０１１１】
一方で、Ｓ３１の判断にて、コンピュータ装置５０が、画像表示装置１に接続されていないと判断した場合には、Ｓ３０に戻る。
【０１１２】
Ｓ３３の判断にて、画像表示装置１に接続している、コンピュータ装置５０の台数分の「画像データの帯域値」を送信した場合には、Ｓ３０に進む。
【０１１３】
一方で、Ｓ３３の判断にて、画像表示装置１に接続している、コンピュータ装置５０の台数分の「画像データの帯域値」を送信していない場合には、Ｓ３１の判断に戻る。
【０１１４】
以下、図８のコンピュータ装置側フローについて説明をする。コンピュータ装置５０が、「画像データ」を画像表示装置１に送信すると、Ｓ３５「画像データを出力」からＳ３６「画像データの帯域値を受信？」の判断に進む。
【０１１５】
Ｓ３６の判断で、コンピュータ装置５０が、画像表示装置１から送信された「画像データの帯域値」を受信した場合には、Ｓ３７「画像データの帯域値を格納」の処理に進む。このＳ３７の処理にて、前記「画像データの帯域値」は、コンピュータ装置５０の記憶装置に格納され、Ｓ３８「単位時間あたりの画像データのデータ量を算出」の処理に進む。
【０１１６】
Ｓ３８の処理にて、ＯＳやアプリケーションソフトが出力した、「画像データ」をＦＩＦＯ（Ｆｉｒｓｔ  ＩＮ，Ｆｉｒｓｔ  Ｏｕｔ）形式のバッファで保存し、この保存された「画像データ」のデータ量を「所定の時間」で割って、「単位時間あたりの画像データのデータ量」を算出して、Ｓ３９「単位時間あたりの画像データのデータ量＜画像データの帯域値？」の判断に進む。前記「所定の時間」は、コンピュータ装置５０が、「画像データ」を送信し終わった時からの時間である。
【０１１７】
Ｓ３９の判断にて、Ｓ３８で算出した「単位時間あたりの画像データのデータ量」が画像表示装置１から受信した「画像データの帯域値」よりも小さいと判断された場合には、
Ｓ４０「画像データ送信」の処理に進み、「画像データ」を、画像表示装置１に送信する。なお、コンピュータ装置５０が画像表示装置１に「画像データ」を送信する、プロトコルは、ＴＣＰ（Ｔｒａｎｓｍｉｓｓｉｏｎ  Ｃｏｎｔｒｏｌ  Ｐｒｏｔｏｃｏｌの略、伝送制御プロトコルともいう）とＵＤＰ（Ｕｓｅｒ  Ｄａｔａｇｒａｍ  Ｐｒｏｔｏｃｏｌの略）の両方が含まれる。
【０１１８】
Ｓ３９の判断にて、コンピュータ装置５０が、Ｓ３８で算出した「単位時間あたりの画像データのデータ量」が画像表示装置１から受信した「画像データの帯域値」よりも大きいと判断した場合には、Ｓ４１「画像データ送信終了？」の判断に進むが、「画像データ」を、画像表示装置１に送信していないので、Ｓ４１の判断にてＳ３６に戻る処理がされる。Ｓ３６に戻った後に、Ｓ３８に進むと、時間が経過するので前記「所定の時間」は増加して、「単位時間あたりの画像データのデータ量」の値は減少する。この「単位時間あたりの画像データのデータ量」の値が前回よりも減少した状態で、Ｓ３９において、「単位時間あたりの画像データのデータ量」が「画像データの帯域値」よりも小さい場合には、Ｓ４０の処理に進んで、画像表示装置１に「画像データ」を送信する。
【０１１９】
一方で、Ｓ３９の判断にて、未だに「単位時間あたりの画像データのデータ量」が「画像データの帯域値」よりも大きい場合には、Ｓ４１の判断に進み、このＳ４１の判断にて、再びＳ３６に戻る処理をする。Ｓ３６に戻ると、時間が経過して、更に前記「所定の時間」は増加し、「単位時間あたりの画像データのデータ量」は減少する。そして「単位時間あたりの画像データのデータ量」が「画像データの帯域値」よりも小さくなった場合に、「画像データ」は、画像表示装置１に送信される。
【０１２０】
Ｓ４０の処理で「画像データ」が、画像表示装置１に送信されると、Ｓ４１「画像データ送信完了？」の判断に進み、コンピュータ装置５０のＯＳやアプリケーションソフトが出力した「画像データ」の画像表示装置１へ送信が完了すると、一連の処理が終了する。
【０１２１】
一方で、コンピュータ装置５０のＯＳやアプリケーションソフトが出力した「画像データ」の画像表示装置１へ送信が完了しない場合には、Ｓ３６に戻って、当該「画像データ」の画像表示装置１への送信が完了するまで、Ｓ３６〜Ｓ４１の処理を繰り返す。
【０１２２】
図７のＳ１８の処理が終わると、Ｓ１９「ＰＣ切断？」の判断に進む。このＳ１９の判断にて、通信手段６０を介して接続しているコンピュータ装置５０との通信が切断したと判断された場合には、Ｓ１３の処理に戻って、再び、画像表示装置１に接続しているコンピュータ装置５０の台数を計数して、当該接続台数から表示フレーム８５の表示画面８０における領域を指定する処理をする。
【０１２３】
一方で、Ｓ１９の判断にて、通信手段６０を介して接続しているコンピュータ装置５０との通信が切断したと判断されない場合には、Ｓ２０「アプリケーションの終了？」の判断に進む。
【０１２４】
Ｓ２０の判断にて、画像表示装置１を制御しているアプリケーションソフトが終了した場合には、一連の処理が終了する。
【０１２５】
一方で、Ｓ２０の判断において、画像表示装置１を制御しているアプリケーションソフトが終了したと判断されない場合には、Ｓ１４の判断に戻る。
【０１２６】
このように、カーソル８２が存在している表示フレーム８５ａを表示しているコンピュータ装置５０ａの「画像データの帯域値」を、他のコンピュータ装置５０ｂ、５０ｃ、５０ｄよりも優先して、上げることにより、表示画面８０に表示される表示フレーム８５ａ
のフレームレート（単位時間あたりのフレームの更新数）が上がり、操作者がマウス５１を操作して、カーソル８２が指し示していて、操作者及び打ち合わせの出席者が注目している表示フレーム８５ａのフレームを他の表示フレーム８５ｂ〜８５ｄと比べて、優先して更新させるので、表示フレーム８５ａを見やすくすることが可能となる。
【０１２７】
次に、第１の実施形態において、表示画面８０上における表示フレーム８５のレイアウトが違う実施例について説明する。
【０１２８】
図７のＳ１３の処理にて、表示フレーム８５を任意の大きさにして、表示画面８０に並列して配置することができる。例えば図９や図１０に示されるように、表示フレーム８５ａを大きく、表示画面８０の上方に配置して、表示フレーム８５ａの下方に、表示フレーム８５ｂ〜８５ｄを並列して配置することもできる。
【０１２９】
図９に示されるように、カーソル８２を、表示フレーム８５ａから表示フレーム８５ｄに移動させる前後の、帯域値演算手段３９が算出した各コンピュータ装置５０ａ〜５０ｄの「画像データの帯域値」を、それぞれ表３、表４に示す。
【０１３０】
【表３】
2008191354.tif 000005
【０１３１】
【表４】
2008191354.tif 000006
【０１３２】
図１０に示されるように、カーソル８２を、表示フレーム８５ａから表示フレーム８５ａ〜８５ｄの範囲外に移動させる前後の、帯域値演算手段３９が算出した各コンピュータ装置５０ａ〜５０ｄの「画像データの帯域値」を、それぞれ表５、表６に示す。
【０１３３】
【表５】
2008191354.tif 000007
【０１３４】
【表６】
2008191354.tif 000008
【０１３５】
表６に示されるように、カーソル８２を、表示フレーム８５ａ〜８５ｄの範囲外に移動させた場合には、どの表示フレーム８５ａ〜８５ｄにも、カーソル８２が存在していないので、各コンピュータ装置５０ａ〜５０ｄの「優先度」は１ですべて等しく、「画像データの帯域値」も等しくなる。
【０１３６】
次に第２の実施形態について説明をする。この第２の実施形態は、図１１に示されるように、表示画像８０にそれぞれのコンピュータ装置５０ａ〜５０ｄのカーソル８２ａ〜８２ｄを表示する実施形態である。図１２に第２の実施形態のフローチャートを示し、以下説明をする。
【０１３７】
図１２にて、画像表示装置１を起動すると、制御ソフト格納部３４ｂに格納されたアプリケーションソフトが起動し、Ｓ５０「アプリケーションが起動？」からＳ５１「最大送信帯域値を取得」の処理に進む。
【０１３８】
前述したように、「最大送信帯域値」は、ネットワーク接続部１０のインターフェースの種類によって、予め画像表示装置１に設定されているので、Ｓ５１において、画像表示装置１のマイクロコンピュータ３３は、コンピュータ装置５０が接続されている、ネットワーク接続部１０のインターフェースを判別して、「最大送信帯域値」を取得する。この処理が終わるとＳ５２「ＰＣ接続完了」の判断に進む。
【０１３９】
このＳ５２の判断にて、コンピュータ装置５０ａ〜５０ｄが通信手段６０を介して接続が完了しているか否かが判断される。コンピュータ装置５０の接続が完了していると判断された場合には、Ｓ５３「接続中のＰＣから表示フレームを配置」の処理に進む。
【０１４０】
Ｓ５３の処理にて、コンピュータ装置５０の接続台数を計数し、接続されているコンピュータ装置５０の接続台数から、画像配置手段３２が表示画面８０内における表示フレー
ム８５の領域を指定し、コンピュータ装置５０が接続から送信される「画像データ」から、それぞれのコンピュータ装置５０上で表示される表示フレーム８５を生成して、表示フレーム８５を表示画面８０に並列して配置する処理をする。本実施形態のように、４台のコンピュータ装置５０ａ〜５０ｄが通信手段６０を介して画像処理装置１に接続している場合には、画像配置手段３２は、図１１に示すように、表示画面８０を横２列、縦２行に４分割した領域を、表示フレーム８５ａ〜８５ｄの領域として指定し、コンピュータ装置５０ａ〜５０ｄ上で表示される表示フレーム８５ａ〜８５ｄを生成して、表示フレーム８５ａ〜８５ｄを前記領域に並列して配置する処理をする。
【０１４１】
図１１に示されるように、表示フレーム８５ａ〜８５ｄ上には、それぞれのコンピュータ装置５０ａ〜５０ｄが表示しているウインドウ領域８６ａ〜８６ｄ、８７ａ〜８７ｄが表示されている。
【０１４２】
また、この第２の実施形態では、カーソル配置手段３１が、各コンピュータ装置５０ａ〜５０ｄが送信している「カーソル位置情報データ」から、表示フレーム８０内にカーソル８２ａ〜８２ｄを配置する。なお、各コンピュータ装置５０ａ〜５０ｄの操作者は、カーソル８２ａ〜８２ｄを、表示フレーム８５ａ〜８５ｄを跨いで操作することができる。この処理が終わると、Ｓ５４「カーソル位置からカーソル下にある表示フレームを表示しているＰＣを判定」の処理に進む。
【０１４３】
Ｓ５４の処理にて、帯域値演算手段３９は、表示画面８０上に表示されているカーソル８２の位置から、表示フレーム８５ａ〜８５ｄを表示しているコンピュータ装置５０ａ〜５０ｄを判定する。Ｓ５４の処理が終わると、Ｓ５５「判定したＰＣ毎の全カーソル数を算出」の処理に進む。
【０１４４】
Ｓ５５の処理にて、帯域値演算手段３９は、それぞれのコンピュータ装置５０ａ〜５０ｄが表示している表示フレーム８５ａ〜８５ｄ上に存在するカーソル８２ａ〜８２ｄの数を足し合わせて、「各コンピュータ装置の全カーソル数」を算出する。この処理が終わると、Ｓ５６「各ＰＣ毎の優先度を算出」の処理に進む。
【０１４５】
Ｓ５６の処理にて、帯域値演算手段３９は、Ｓ５５で算出した「各コンピュータ装置の全カーソル数」に所定の数値（例えば１）を足し合わせて、それぞれのコンピュータ装置５０ａ〜５０ｄ装置の「優先度」として算出する。この処理が終わると、Ｓ５７「最大帯域値と優先度から各ＰＣに割り振る画像データの帯域値を算出」の処理に進む。
【０１４６】
Ｓ５７の処理にて、帯域値演算手段３９は、Ｓ５１の処理で求めた「最大送信帯域値」から、「カーソル位置情報データの帯域値」を差し引く処理をして、各コンピュータ装置５０ａ〜５０ｄが画像表示装置１に「画像データ」を送信するために使用される「画像データの最大帯域値」を算出する。帯域値演算手段３９は、前記「画像データの最大帯域値」を、Ｓ５６の処理で求めた「優先度」をすべて足し合わせた数値で除した値に、前記それぞれのコンピュータ装置５０ａ〜５０ｄの「優先度」を乗じた値を、それぞれのコンピュータ装置５０ａ〜５０ｄの「画像データの帯域値」をして算出する処理をして、Ｓ５８「画像データの帯域値変更」の処理に進んで、それぞれのコンピュータ装置５０ａ〜５０ｄの「画像データの帯域値」を変更する処理をする。
【０１４７】
表７に、前記「所定の優先度」及び「所定の数値」を両方とも１とし、「画像データの最大帯域値」が１００Ｍｂｐｓである場合の、Ｓ５７及びＳ５８の処理の算出結果を示す。
【０１４８】
【表７】
2008191354.tif 000009
【０１４９】
Ｓ５８の処理で、帯域値演算手段３９が、それぞれのコンピュータ装置５０ａ〜５０ｄの「画像データの帯域値」を変更すると、送信量制御手段４０は、前記した図８に示されるフローチャートに沿って、当該「画像データの帯域値」を、それぞれのコンピュータ装置５０ａ〜５０ｄに送信して、それぞれのコンピュータ装置５０ａ〜５０ｄの「画像データの送信量」を制御する。
【０１５０】
Ｓ５８の処理が終わると、Ｓ５９「ＰＣ切断？」の判断に進む。このＳ５９の判断にて、コンピュータ装置５０ａ〜５０ｄのいずれかと画像表示装置１との通信が切断したと判断された場合には、Ｓ５３の処理に戻る処理をする。
【０１５１】
一方Ｓ５９の判断で、コンピュータ装置５０ａ〜５０ｄのいずれかと画像表示装置１との通信が切断したと判断されない場合には、Ｓ６０「アプリケーション終了？」の判断に進む。
【０１５２】
Ｓ６０の判断において、画像表示装置１を制御しているアプリケーションソフトが終了したと判断された場合には、一連の処理が終了する。
【０１５３】
一方で、Ｓ６０の判断において、画像表示装置１を制御しているアプリケーションソフトが終了しないと判断されない場合には、Ｓ５３の処理に戻る。
【０１５４】
このように、カーソル８２が多数（図１１の状態では、３個）存在し、操作者及び打ち合わせの出席者が注目している表示フレーム８５ａを表示しているコンピュータ装置５０ａの「画像データの帯域値」を、他のコンピュータ装置５０ｂ、５０ｃ、５０ｄよりも優先して上げることにより、表示画面８０に表示される表示フレーム８５ａのフレームレートが上がり、表示フレーム８５ａを見やすくすることが可能となる。
【０１５５】
次に第３の実施形態について説明をする。この第３の実施形態もまた図１１に示されるように、表示画像８０にそれぞれのコンピュータ装置５０ａ〜５０ｄのカーソル８２ａ〜８２ｄを表示する実施形態である。図１３に第３の実施形態のフローチャートを示し、以下説明をする。
【０１５６】
図１３にて、画像表示装置１を起動すると、制御ソフト格納部３４ｂに格納されたアプリケーションソフトが起動し、Ｓ６５「アプリケーションが起動？」からＳ６６「ＰＣ接続完了？」の判断に進む。
【０１５７】
Ｓ６６の判断にて、コンピュータ装置５０ａ〜５０ｄが通信手段６０を介して接続が完了しているか否かが判断される。コンピュータ装置５０の接続が完了していると判断された場合には、Ｓ６７「接続中のＰＣから表示フレームを配置」の処理に進む。
【０１５８】
Ｓ６７の処理にて、コンピュータ装置５０の接続台数が計数され、接続されているコンピュータ装置５０の接続台数から、画像配置手段３２が表示画面８０内における表示フレーム８５の領域を指定し、コンピュータ装置５０が接続から送信される画像データから、それぞれのコンピュータ装置５０上で表示される表示フレーム８５を生成して、表示フレーム８５を表示画面８０に並列して配置する処理をする。本実施形態のように、４台のコンピュータ装置５０ａ〜５０ｄが通信手段６０を介して画像処理装置１に接続している場合には、画像配置手段３２は、図１１に示すように、表示画面８０を横２列、縦２行に４分割した領域を、表示フレーム８５ａ〜８５ｄの領域として指定し、コンピュータ装置５０ａ〜５０ｄ上で表示される表示フレーム８５ａ〜８５ｄを生成して、表示フレーム８５ａ〜８５ｄを前記領域に並列して配置する処理をする。
【０１５９】
図１１に示されるように、表示フレーム８５ａ〜８５ｄ上には、それぞれのコンピュータ装置５０ａ〜５０ｄが表示している、ウインドウ領域８６ａ〜８６ｄ、８７ａ〜８７ｄが表示されている。
【０１６０】
また、この第３の実施形態もまた第２の実施形態と同様に、カーソル配置手段３１が、各コンピュータ装置５０ａ〜５０ｄが送信している「カーソル位置情報データ」から、表示フレーム８０内にカーソル８２ａ〜８２ｄを配置する。なお、各コンピュータ装置５０ａ〜５０ｄの操作者は、カーソル８２ａ〜８２ｄを、表示フレーム８５ａ〜８５ｄを跨いで操作することができる。Ｓ６７の処理が終わると、Ｓ６８「カーソルの移動？」の判断に進む。
【０１６１】
Ｓ６８の判断にて、帯域値演算手段３９は、表示画面８０上に表示されているカーソル８２が動いたか否かを判断し、カーソル８２が動いたと判断した場合には、Ｓ６９「優先ＰＣを判定」の処理に進む処理をする。
【０１６２】
Ｓ６９の処理にて、帯域値演算手段３９は、最後に動かしたカーソル８２の「カーソル位置情報データ」を送信しているコンピュータ装置５０ａ〜５０ｄを判定する。Ｓ６９の処理が終わると、Ｓ７０「画像データの帯域値変更」の処理に進む。
【０１６３】
Ｓ７０の処理にて、帯域値演算手段３９は、Ｓ６９の処理で判定されたコンピュータ装置５０ａ〜５０ｄの「画像データの帯域値」を上げる処理をする。「画像データ」を送信するために使用される「画像データの最大帯域値」は一定であるので、この処理に伴って、Ｓ６９の処理で特定されたコンピュータ装置５０ａ〜５０ｄ以外のコンピュータ装置５０ａ〜５０ｄ「画像データの帯域値」は下がることとなる。
【０１６４】
Ｓ７０の処理で、帯域値演算手段３９が、それぞれのコンピュータ装置５０ａ〜５０ｄの「画像データの帯域値」を変更すると、送信量制御手段４０は、前記した図８に示されるフローチャートに沿って、当該「画像データの帯域値」を、それぞれのコンピュータ装置５０ａ〜５０ｄに送信して、それぞれのコンピュータ装置５０ａ〜５０ｄの「画像データの送信量」を制御する。
【０１６５】
Ｓ７０の処理が終わると、Ｓ７１「ＰＣ切断？」の判断に進み、コンピュータ装置５０ａ〜５０ｄのいずれかと画像表示装置１との通信が切断したと判断した場合には、Ｓ６７の処理に戻る処理をする。
【０１６６】
一方Ｓ７１の判断で、コンピュータ装置５０ａ〜５０ｄのいずれかと画像表示装置１との通信が切断したと判断しない場合には、Ｓ７２「アプリケーション終了？」の判断に進む。
【０１６７】
Ｓ７２の判断にて、画像表示装置１を制御しているアプリケーションソフトが終了した場合には、一連の処理が終了する。
【０１６８】
一方で、Ｓ７２の判断にて、画像表示装置１を制御しているアプリケーションソフトが終了しない場合には、Ｓ６８の処理に戻る。
【０１６９】
なお、第３の実施形態のＳ６９の処理において、帯域値演算手段３９は、最後に動かしたカーソル８２ａ〜８２ｄが存在する表示フレーム８５ａ〜８５ｄの「画像データ」を送信しているコンピュータ装置５０ａ〜５０ｄを判定し、Ｓ７０の処理で当該コンピュータ装置５０ａ〜５０ｄの「画像データの帯域値」を上げる演算をすることとしても差し支えない。この場合には、「画像データの最大帯域値」は一定であるので、この処理に伴って、Ｓ６９の処理で特定されたコンピュータ装置５０ａ〜５０ｄ以外のコンピュータ装置５０ａ〜５０ｄ「画像データの帯域値」は下がることとなる。
【０１７０】
あるいは、Ｓ６９の処理にて、帯域値演算手段３９は、最後に動かしたカーソル８２ａ〜８２ｄの「カーソル位置情報データ」を送信しているコンピュータ装置５０ａ〜５０ｄ及び、最後に動かしたカーソル８２ａ〜８２ｄが存在する表示フレーム８５ａ〜８５ｄの「画像データ」を送信しているコンピュータ装置５０ａ〜５０ｄを判定し、Ｓ７０の処理において帯域値演算手段３９は、これらのコンピュータ装置５０ａ〜５０ｄの「画像データの帯域値」を上げる処理することとしてもよい。
【０１７１】
次に第４の実施形態について説明をする。この第４の実施形態の表示画面８１は、図１４に示されるように、コンピュータ装置５０ａ〜５０ｄ上で表示される表示フレーム８５ａ〜８５ｄ及びカーソル８２ａ〜８２ｄを、１つの領域内に重ね合わせて合成して配置した画像である。図１５に第４の実施形態のフローチャートを示し、以下説明をする。
【０１７２】
図１５にて、画像表示装置１を起動すると、制御ソフト格納部３４ｂに格納されたアプリケーションソフトが起動し、Ｓ８０「アプリケーションが起動？」からＳ８１「最大送信帯域値を取得」の処理に進む。
【０１７３】
Ｓ８１にて、コンピュータ装置５０が接続されている、ネットワーク接続部１０のインターフェースが判別されて、「最大送信帯域値」を取得する。この処理が終わるとＳ８２「ＰＣ接続完了」の判断に進む。
【０１７４】
Ｓ８２の判断にて、コンピュータ装置５０ａ〜５０ｄが通信手段６０を介して接続が完了しているか否かが判断される。コンピュータ装置５０の接続が完了していると判断された場合には、Ｓ８３「接続中のＰＣから表示フレームを配置」の処理に進む。
【０１７５】
Ｓ８３の処理にて、画像配置手段３２は、コンピュータ装置５０が接続から送信される「画像データ」から、それぞれのコンピュータ装置５０ａ〜５０ｄ上で表示される表示フレーム８５ａ〜８５ｄを生成して、これらの表示フレーム８５ａ〜８５ｄを重ね合わせて表示画面８１に合成して配置する処理をする。
【０１７６】
図１４に示されるように、表示画面８１には、それぞれのコンピュータ装置５０ａ〜５０ｄが表示している、ウインドウ領域８６ａ〜８６ｄ、８７ａ〜８７ｄが表示されている。
【０１７７】
カーソル配置手段３１が、各コンピュータ装置５０ａ〜５０ｄが送信している「カーソル位置情報データ」から、表示フレーム８１内にカーソル８２ａ〜８２ｄを配置する。なお、各コンピュータ装置５０ａ〜５０ｄの操作者は、表示画面８１内に表示されたカーソ
ル８２ａ〜８２ｄを操作することができる。この処理が終わると、Ｓ８４「カーソル位置からカーソル下にあるウインドウ領域を表示しているＰＣを判定」の処理に進む。
【０１７８】
Ｓ８４の処理にて、帯域値演算手段３９は、表示画面８１上に表示されているカーソル８２の位置から、ウインドウ領域８６ａ〜８６ｄ、８７ａ〜８７ｄを表示しているコンピュータ装置５０ａ〜５０ｄを判定する。Ｓ８４の判定が終わると、Ｓ８５「判定したＰＣ毎の全カーソル数を算出」の処理に進む。
【０１７９】
Ｓ８５の処理にて、帯域値演算手段３９は、それぞれのコンピュータ装置５０ａ〜５０ｄが表示しているウインドウ領域８６ａ〜８６ｄ、８７ａ〜８７ｄ上に存在するカーソル８２ａ〜８２ｄの数を足し合わせて、「各コンピュータ装置の全カーソル数」を算出する。Ｓ８５の処理が終わると、Ｓ８６「各ＰＣ毎の優先度を算出」の処理に進む。
【０１８０】
Ｓ８６の処理にて、帯域値演算手段３９は、Ｓ８５で算出した「各コンピュータ装置の全カーソル数」に所定の数値（例えば１）を足し合わせて、それぞれのコンピュータ装置５０ａ〜５０ｄ装置の「優先度」として算出する。この処理が終わると、Ｓ８７「最大帯域値と優先度から各ＰＣに割り振る画像データの帯域値を算出」の処理に進む。
【０１８１】
Ｓ８７の処理にて、帯域値演算手段３９は、Ｓ８１の処理で求めた「最大送信帯域値」から、「カーソル位置情報データの帯域値」を差し引く処理をして、各コンピュータ装置５０ａ〜５０ｄが画像表示装置１に「画像データ」を送信するために使用される「画像データの最大帯域値」を算出する。帯域値演算手段３９は、前記「画像データの最大帯域値」を、Ｓ８６の処理で求めた「優先度」をすべて足し合わせた数値で除した値に、前記それぞれのコンピュータ装置５０ａ〜５０ｄの「優先度」を乗じた値を、それぞれのコンピュータ装置５０ａ〜５０ｄの「画像データの帯域値」として算出する処理をして、Ｓ８８「画像データの帯域値変更」の処理に進んで、それぞれのコンピュータ装置５０ａ〜５０ｄの「画像データの帯域値」を変更する処理をする。
【０１８２】
表８に、前記「所定の優先度」及び「所定の数値」を両方とも１とし、「画像データの最大帯域値」が１００Ｍｂｐｓである場合の、Ｓ８７及びＳ８８の処理の算出結果を示す。
【０１８３】
【表８】
2008191354.tif 000010
【０１８４】
Ｓ８８の処理で、帯域値演算手段３９が、それぞれのコンピュータ装置５０ａ〜５０ｄの「画像データの帯域値」を変更すると、送信量制御手段４０は、前記した図８に示されるフローチャートに沿って、当該「画像データの帯域値」を、それぞれのコンピュータ装置５０ａ〜５０ｄに送信して、それぞれのコンピュータ装置５０ａ〜５０ｄの「画像データの送信量」を制御する。
【０１８５】
Ｓ８８の処理が終わると、Ｓ８９「ＰＣ切断？」の判断に進み、コンピュータ装置５０
ａ〜５０ｄのいずれかと画像表示装置１との通信が切断したと判断した場合には、Ｓ８３の処理に戻る処理をする。
【０１８６】
一方Ｓ８９の判断で、コンピュータ装置５０ａ〜５０ｄのいずれかと画像表示装置１との通信が切断したと判断しない場合には、Ｓ９０「アプリケーション終了？」の判断に進む。
【０１８７】
Ｓ９０の判断において、画像表示装置１を制御しているアプリケーションソフトが終了した場合には、一連の処理が終了する。
【０１８８】
一方で、Ｓ９０の判断において、画像表示装置１を制御しているアプリケーションソフトが終了しない場合には、Ｓ８３の処理に戻る。
【０１８９】
このように、カーソル８２が多数（図１４の状態では、３個）存在し、操作者及び打ち合わせの出席者が注目しているウインドウ領域８６ｃ及びウインドウ領域８７ｃを表示しているコンピュータ装置５０ｃの「画像データの帯域値」を、他のコンピュータ装置５０ａ、５０ｂ、５０ｄよりも優先して上げることにより、表示画面８１に表示される表示フレーム８５ｃのフレームレートが上がり、ウインドウ領域８６ｃ及びウインドウ領域８７ｃを見やすくすることが可能となる。
【０１９０】
次に第５の実施形態について説明をする。この第５の実施形態の表示画像８１もまた、図１４に示されるように、コンピュータ装置５０ａ〜５０ｄ上で表示される表示フレーム８５ａ〜８５ｄ及びカーソル８２ａ〜８２ｄを、１つの領域内に重ね合わせて合成して表示する画像である。図１６に第５の実施形態のフローチャートを示し、以下説明をする。
【０１９１】
図１６において、画像表示装置１を起動すると、制御ソフト格納部３４ｂに格納されたアプリケーションソフトが起動し、Ｓ９５「アプリケーションが起動？」からＳ９６「ＰＣ接続完了？」の判断に進む。
【０１９２】
このＳ８６の判断にて、コンピュータ装置５０ａ〜５０ｄが通信手段６０を介して接続が完了しているか否かが判断される。コンピュータ装置５０の接続が完了していると判断された場合には、Ｓ９７「接続中のＰＣから表示フレームを配置」の処理に進む。
【０１９３】
Ｓ９７の処理にて、画像配置手段３２は、コンピュータ装置５０が接続から送信される「画像データ」から、それぞれのコンピュータ装置５０ａ〜５０ｄ上で表示される表示フレーム８５ａ〜８５ｄを生成して、これらの表示フレーム８５ａ〜８５ｄを重ね合わせて表示画面８１に合成して配置する処理をする。
【０１９４】
図１４に示されるように、表示画面８１上には、それぞれのコンピュータ装置５０ａ〜５０ｄが表示している、ウインドウ領域８６ａ〜８６ｄ、８７ａ〜８７ｄが表示されている。
【０１９５】
また、カーソル配置手段３１が、各コンピュータ装置５０ａ〜５０ｄが送信している「カーソル位置情報データ」から、表示フレーム８１内にカーソル８２ａ〜８２ｄを配置する。なお、各コンピュータ装置５０ａ〜５０ｄの操作者は、表示画面８１内に表示されたカーソル８２ａ〜８２ｄを操作することができる。この処理が終わると、Ｓ９８「カーソルの移動？」の判断に進む。
【０１９６】
Ｓ９８の判断にて、帯域値演算手段３９は、表示画面８０上に表示されているカーソル８２が動いたか否かを判断し、カーソル８２が動いたと判断した場合には、Ｓ９９「優先
ＰＣを判定」の処理に進む。
【０１９７】
Ｓ９９の処理にて、帯域値演算手段３９は、最後に動かしたカーソル８２の「カーソル位置情報データ」を送信しているコンピュータ装置５０ａ〜５０ｄを判定する。Ｓ９９の処理が終わると、Ｓ１００「画像データの帯域値変更」の処理に進む。
【０１９８】
Ｓ１００の処理にて、帯域値演算手段３９は、Ｓ９９の処理で判定されたコンピュータ装置５０ａ〜５０ｄの「画像データの帯域値」を上げる処理をする。「画像データ」を送信するために使用される「画像データの最大帯域値」は一定であるので、この処理に伴って、Ｓ９９の処理で判定されたコンピュータ装置５０ａ〜５０ｄ以外のコンピュータ装置５０ａ〜５０ｄ「画像データの帯域値」は下がることとなる。
【０１９９】
Ｓ１００の処理で、帯域値演算手段３９が、それぞれのコンピュータ装置５０ａ〜５０ｄの「画像データの帯域値」を変更すると、送信量制御手段４０は、前記した図８に示されるフローチャートに沿って、当該「画像データの帯域値」を、それぞれのコンピュータ装置５０ａ〜５０ｄに送信して、それぞれのコンピュータ装置５０ａ〜５０ｄの「画像データの送信量」を制御する。
【０２００】
Ｓ１００の処理が終わると、Ｓ１０１「ＰＣ切断？」の判断に進み、コンピュータ装置５０ａ〜５０ｄのいずれかと画像表示装置１との通信が切断したと判断した場合には、Ｓ９７の処理に戻る処理をする。
【０２０１】
一方Ｓ１０１の判断で、コンピュータ装置５０ａ〜５０ｄのいずれかと画像表示装置１との通信が切断したと判断しない場合には、Ｓ１０２「アプリケーション終了？」の判断に進む。
【０２０２】
Ｓ１０２の判断にて、画像表示装置１を制御しているアプリケーションソフトが終了した場合には、一連の処理が終了する。
【０２０３】
一方で、Ｓ１０２の判断にて、画像表示装置１を制御しているアプリケーションソフトが終了しない場合には、Ｓ９８の処理に戻る。
【０２０４】
なお、第５の実施形態のＳ９９の処理において、帯域値演算手段３９は、最後に動かしたカーソル８２ａ〜８２ｄが存在するウインドウ領域８６ａ〜８６ｄ、８７ａ〜８７ｄの「画像データ」を送信しているコンピュータ装置５０ａ〜５０ｄを特定し、Ｓ１００の処理で当該コンピュータ装置５０ａ〜５０ｄの「画像データの帯域値」を上げる演算をすることとしても差し支えない。この場合には、「画像データの最大帯域値」は一定であるので、この処理に伴って、Ｓ９９の処理で判定されたコンピュータ装置５０ａ〜５０ｄ以外のコンピュータ装置５０ａ〜５０ｄ「画像データの帯域値」は下がることとなる。
【０２０５】
あるいは、Ｓ９９の処理にて、帯域値演算手段３９は、最後に動かしたカーソル８２の「カーソル位置情報データ」を送信しているコンピュータ装置５０ａ〜５０ｄ及び、最後に動かしたカーソル８２ａ〜８２ｄが存在するウインドウ領域８６ａ〜８６ｄ、８７ａ〜８７ｄの「画像データ」を送信しているコンピュータ装置５０ａ〜５０ｄを判定し、Ｓ１００の処理にて帯域値演算手段３９は、これらのコンピュータ装置５０ａ〜５０ｄの「画像データの帯域値」を上げる処理することとしてもよい。
【０２０６】
図１７に、第６の実施形態のフローチャートを示し、第６の実施形態について説明をする。この第６の実施形態は、第１〜第５の実施形態のＳ１８、Ｓ５８、Ｓ７０、Ｓ８８、Ｓ１００の処理にて、帯域値演算手段３９が各コンピュータ装置５０ａ〜５０ｄの「画像
データの帯域値」を変更する処理までは、第１〜第５の実施形態と同じである。つまり、第１〜第５の実施形態では、Ｓ１８、Ｓ５８、Ｓ７０、Ｓ８８、Ｓ１００の処理をした後に、送信量制御手段４０が、図８に示されるように、各コンピュータ装置５０ａ〜５０ｄの「画像データの帯域値」を、各コンピュータ装置５０ａ〜５０ｄに送信して、各コンピュータ装置５０ａ〜５０ｄの「画像データの送信量」を制御する。しかし、第６の実施形態では、「画像データ」をフロー制御を伴う通信手順で送信する場合において、送信量制御手段４０が各コンピュータ装置５０ａ〜５０ｄに送信する「受信確認信号」あるいは「次送信要求信号」を制御して、各コンピュータ装置５０ａ〜５０ｄの「画像データ」の送信量を制御する。
【０２０７】
以下、「画像データ」をＴＣＰプロトコルで画像表示装置１に送信する場合に、画像表示装置１がコンピュータ装置５０ａ〜５０ｄの送信する前記「受信確認信号」の一例としてＡＣＫ（Ａｃｋｎｏｗｌｅｄｇｍｅｎｔの略）を送信するフロー制御について説明をする。
【０２０８】
Ｓ１８、Ｓ５８、Ｓ７０、Ｓ８８、Ｓ１００の処理にて、帯域値演算手段３９が各コンピュータ装置５０ａ〜５０ｄの「画像データの帯域値」を変更すると、Ｓ１０５「画像データの帯域値変更」の処理から、Ｓ１０６「ＰＣ接続中」の処理に進む。このＳ１０６「ＰＣ接続中」にて、コンピュータ装置５０ａ〜５０ｄが、通信手段６０を介して、画像表示装置１接続しているかを判断する。
【０２０９】
Ｓ１０６の判断にて、コンピュータ装置５０が、画像表示装置１に接続していると判断された場合には、Ｓ１０７「単位時間あたりの受信データ量算出」の処理に進む。
【０２１０】
一方で、Ｓ１０６の判断にて、コンピュータ装置５０が、画像表示装置１に接続していないと判断された場合には、Ｓ１０５の処理に戻る。
【０２１１】
Ｓ１０７の処理にて、画像表示装置１は、受信手段１０ａが受信した、各コンピュータ装置５０ａ〜５０ｄから送信された「画像データ」をＦＩＦＯ（Ｆｉｒｓｔ  ＩＮ，Ｆｉｒｓｔ  Ｏｕｔ）形式のバッファで記憶装置３４に保存し、この保存された「画像データ」のデータ量を「所定の時間」で割って、各コンピュータ装置５０ａ〜５０ｄの「単位時間あたりの受信データ量」を算出する。Ｓ１０７の処理が終わると、Ｓ１０８「単位時間あたりの受信データ量＜画像データの帯域値？」の判断に進む処理をする。
【０２１２】
Ｓ１０８の判断にて、送信量制御手段４０は、Ｓ１０７で算出した「単位時間あたりの受信データ量」が、「画像データの帯域値」よりも小さいか否かを判断する。送信量制御手段４０は、Ｓ１０７で算出した「単位時間あたりの受信データ量」が、「画像データの帯域値」よりも小さいと判断したコンピュータ装置５０ａ〜５０ｄに関してＳ１０９「ＡＣＫ送信」の処理に進む。
【０２１３】
Ｓ１０９の処理で、送信量制御手段４０は、Ｓ１０８で「単位時間あたりの受信データ量」が、「画像データの帯域値」よりも小さいと判断したコンピュータ装置５０ａ〜５０ｄに対して、ＡＣＫを送信する。ここでいうＡＣＫとは、画像表示装置１と各コンピュータ装置５０ａ〜５０ｄのコネクションを確立した後に、各コンピュータ装置５０ａ〜５０ｄに送信するＡＣＫ（確認応答）のことである。ＡＣＫを受信したコンピュータ装置５０ａ〜５０ｄは、「画像データ」を画像表示装置１に送信する。なお、コンピュータ装置５０ａ〜５０ｄは、「画像データ」をコネクション確立時に設定されるＭＳＳ（Ｍａｉｘｍｕｍ  Ｓｅｇｍｅｎｔ  Ｓｉｚｅの略、ＴＣＰにおける最大セグメント長）の「セグメント」に分割し、コンピュータ装置５０ａ〜５０ｄが前記ＡＣＫを受信すると、これに対応する「セグメント」を画像表示装置１に送信する。
【０２１４】
なお、画像表示装置１と各コンピュータ装置５０ａ〜５０ｄとの間の通信をウインドウ制御して、送信量制御手段４０が複数のＡＣＫをコンピュータ装置５０ａ〜５０ｄのいずれかに送信し、当該複数のＡＣＫを受信したコンピュータ装置５０ａ〜５０ｄは、受信ウインドウサイズ（ＲＷＩＮ、Ｒｅｃｅｉｖｅ  Ｗｉｎｄｏｗ  Ｓｉｚｅの略）の「画像データ」を画像表示装置１に送信することとしても差し支えない。Ｓ１０９の処理が終わると、Ｓ１１０「ＰＣ接続台数分ループ？」の判断に進む。
【０２１５】
一方で、Ｓ１０９の処理にて、送信量制御手段４０が、Ｓ１０８で算出した「単位時間あたりの受信データ量」が「画像データの帯域値」よりも大きいと判断した場合には、当該判断したコンピュータ装置５０ａ〜５０ｄには、ＡＣＫを送信することなく、Ｓ１１０の判断に進む。言い換えると、単位時間あたりの受信データ量」が「画像データの帯域値」よりも大きい場合には、他のコンピュータ装置５０ａ〜５０ｄすべてについてＳ１０８の判断が終了するまで、当該コンピュータ装置５０ａ〜５０ｄについてはＳ１０８の判断がされず、当該コンピュータ装置５０ａ〜５０ｄの「単位時間あたりの受信データ量」が「画像データの帯域値」よりも小さくなるまで、当該コンピュータ装置５０ａ〜５０ｄにＡＣＫを送信しない。
【０２１６】
Ｓ１１０の判断にて、画像表示装置１に接続されているコンピュータ装置５０ａ〜５０ｄのすべてについて、Ｓ１０６〜Ｓ１１０の処理もしくは判断がされていないと判断した場合には、当該コンピュータ装置５０ａ〜５０ｄについては、Ｓ１０６に進む処理をする。このようにして、各コンピュータ装置５０ａ〜５０ｄについて順次Ｓ１０６〜Ｓ１１０の処理をする。一方で、Ｓ１１０の判断において、画像表示装置１に接続されているコンピュータ装置５０ａ〜５０ｄのすべてについて、Ｓ１０６〜Ｓ１１０の処理もしくは判断がされたと判断した場合には、Ｓ１０５に戻る。
【０２１７】
なお、各コンピュータ装置５０ａ〜５０ｄが「画像データ」を画像表示装置１に送信するフロー制御を伴う通信手順は、ＴＣＰプロトコルに限定されない。また、送信量制御手段４０は、各コンピュータ装置５０ａ〜５０ｄに対して「受信確認信号」でなく、「次送信要求信号」を送信して、各コンピュータ装置５０ａ〜５０ｄの「画像データの送信量」を制御することとしても差し支えない。
【０２１８】
なお、送信量制御手段４０は、各コンピュータ装置５０ａ〜５０ｄ「画像データの帯域値」に応じて、「画像データ」を受信してから「受信確認信号」あるいは「次送信要求信号」を送信するまでの間隔を制御することにより、各コンピュータ装置５０ａ〜５０ｄの「画像データの送信量」を制御することとしても差し支えない。
【０２１９】
図１８に、第７の実施形態のフローチャートを示し、第７の実施形態について説明をする。この第７の実施形態は、第１の実施形態、第２の実施形態、第３の実施形態の帯域値演算手段３９が各コンピュータ装置５０ａ〜５０ｄの「優先度」を変更する処理までは、第１の実施形態、第２の実施形態、第３の実施形態と同じである。つまり、第１の実施形態、第２の実施形態、第３の実施形態では、演算手段３９が各コンピュータ装置５０ａ〜５０ｄの「優先度」を変更する処理をした後に、各コンピュータ装置５０ａ〜５０ｄの「画像データの帯域値」を変更して、送信量制御手段４０が、図８に示されるように、各コンピュータ装置５０ａ〜５０ｄの「画像データの帯域値」を、各コンピュータ装置５０ａ〜５０ｄに送信して、各コンピュータ装置５０ａ〜５０ｄの「画像データの送信量」を制御する。しかし、第７の実施形態では、帯域値変更手段３９が、第１の実施形態、第２の実施形態、第３の実施形態で算出した「優先度」に応じて、各コンピュータ装置５０ａ〜５０ｄの表示フレーム８５ａ〜８５ｄの更新の割合を算出して、当該変更の割合に応じて、送信量制御手段４０が、各コンピュータ装置５０ａ〜５０ｄに表示フレーム８５ａ〜８
５ｄの送信の許可の信号を送信することにより、各コンピュータ装置５０ａ〜５０ｄの「画像データの送信量」を制御する。
【０２２０】
帯域値演算手段３９が、各コンピュータ装置５０ａ〜５０ｄの「優先度」を変更した場合には、Ｓ１１５「ＰＣ毎の優先度変更」からＳ１１６「ＰＣ毎の優先度から各ＰＣのフレーム更新頻度を算出」の処理に進む。なお、本実施形態でいう「優先度」とは、第１の実施形態、第２の実施形態、第４の実施形態で求められる「優先度」のことである。
【０２２１】
Ｓ１１６にて、帯域値演算手段３９は、各コンピュータ装置５０ａ〜５０ｄの「優先度」に比例した、各コンピュータ装置５０ａ〜５０ｄの表示フレーム８５ａ〜８６ｄの更新頻度を算出する。Ｓ１１６の処理が終わるとＳ１１７の処理に進む。
【０２２２】
Ｓ１１７の処理にて、送信量制御手段４０は、Ｓ１１６で求めた各コンピュータ装置５０ａ〜５０ｄの表示フレーム８５ａ〜８５ｄ更新頻度に応じて、表示フレーム８５ａ〜８５ｄを１フレームだけ画像表示装置１への送信を許可する信号である「表示フレーム更新許可信号」を、各コンピュータ装置５０ａ〜５０ｄに送信する。Ｓ１１７の処理が終了すると、Ｓ１１８「フレーム受信完了」の判断に進む。
【０２２３】
一方で、Ｓ１３１「”１フレーム送信許可”を受信」にて、前記「表示フレーム許可信号」を受信したコンピュータ装置５０ａ〜５０ｄは、Ｓ１３２「画像キャプチャー」に進み、コンピュータ装置５０ａ〜５０ｄ上で表示される表示フレーム８５ａの「画像データ」をキャプチャーする。Ｓ１３２の処理が終了すると、Ｓ１３３「１フレームデータ送信」の処理に進む。
【０２２４】
Ｓ１３３の処理にて、コンピュータ装置５０ａ〜５０ｄは、Ｓ１３２の処理でキャプチャーした、表示フレーム８５ａ〜８５ｄを１フレームのみのデータである「１フレームデータ」を画像表示装置１に送信する処理をする。
【０２２５】
Ｓ１１８の処理にて、Ｓ１３３の処理でコンピュータ装置５０ａ〜５０ｄが送信した、表示フレーム８５ａ〜８５ｄを受信手段１０ａが受信した場合には、Ｓ１１９「表示フレームを表示画面に表示」の処理に進む。
【０２２６】
Ｓ１１９の処理にて、画像配置手段３２が、Ｓ１１８で受信した表示フレーム８５ａ〜８５ｄを表示画面８０もしくは表示画面８１に配置して表示する処理をする。
【０２２７】
一方で、「カーソル位置情報データ」は、各コンピュータ装置５０ａ〜５０ｄが画像表示装置１に送信する「１フレームデータ」に影響されず、即時画像表示装置１に送信される。
【０２２８】
このように、第７の実施形態では、「優先度」が低いコンピュータ装置５０ａ〜５０ｄの表示フレーム８５ａ〜８５ｄの更新は遅くなる一方で、「優先度」の高いコンピュータ装置５０ａ〜５０ｄの表示フレーム８５ａ〜８５ｄの更新は早くなる。また、「カーソル位置情報データ」は、即時画像表示装置１に送信されるので、各コンピュータ装置５０ａ〜５０ｄの操作者が操作して、表示画面８０もしくは表示画面８１に表示されるカーソル８２の動きが、スムーズに表示されることとなる。
【０２２９】
なお、画像表示装置１の一例として、プロジェクターを用いた例について本発明を説明したが、本発明の画像表示装置は、プロジェクターに限定されず、その他ブラウン管（陰極線管、ＣＡＴ（Ｃａｔｈｏｄｅ  Ｒａｙ  Ｔｕｂｅ）ともいう）、液晶ディスプレー、有機ＥＬディスプレー、プラズマディスプレー、リアプロジェクションディスプレー、プ
ラズマアドレス液晶ディスプレー等の画像表示装置にも本発明を適用可能なことは言うまでもない。
【０２３０】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う画像表示装置もまた技術的範囲に包含されるものとして理解されなければならない。     
【図面の簡単な説明】
【０２３１】
【図１】本発明の画像表示装置を用いたシステムの構成図である。
【図２】画像表示装置の構成図である。
【図３】通信手段の説明図である。
【図４】カーソルが１個の場合の表示画像８０の説明図である。
【図５】図４の表示画像８０の詳細図である。
【図６】図４の表示画像８０の詳細図である。
【図７】第１の実施形態のフローチャートである。
【図８】コンピュータ装置に、「画像データの帯域値」を送信して、コンピュータ装置の画像データの送信量を制御するフローチャートである。
【図９】表示フレームのレイアウトが違う実施例の説明図である。（第１の実施形態）
【図１０】表示フレームのレイアウトが違う実施例の説明図である。（第１の実施形態）
【図１１】カーソルが複数個の表示画像８０の説明図である。（第２の実施形態）
【図１２】第２の実施形態のフローチャートである。
【図１３】第３の実施形態のフローチャートである。
【図１４】表示画面８１を示す説明図である。（第４の実施形態）
【図１５】第４の実施形態のフローチャートである。
【図１６】第５の実施形態のフローチャートである。
【図１７】第６の実施形態のフローチャートである。
【図１８】第７の実施形態のフローチャートである。
【符号の説明】
【０２３２】
１      画像表示装置
１０    ネットワーク接続部
１０ａ  受信手段
１０ｂ  送信手段
２１    ランプ駆動回路
２２    光源
２３    照明光学系
２４    ＬＣＤ
２５    結像光学系
２６    ピント調節機構
２７    画像信号入力部
２８    画像処理回路
２９    バス
３０    ＬＣＤ駆動回路
３１    カーソル配置手段
３２    画像配置手段
３３    マイクロコンピュータ
３４    記憶装置
３４ａ  パラメータ格納部
３４ｂ  制御ソフト格納部
３５    不揮発性メモリー
３６    制御パネル
３８    赤外線受光部
３７    赤外線制御部
３９    帯域値演算手段
４０    送信量制御手段
５０ａ  コンピュータ装置（ＰＣ１）
５０ｂ  コンピュータ装置（ＰＣ２）
５０ｃ  コンピュータ装置（ＰＣ３）
５０ｄ  コンピュータ装置（ＰＣ４）
５１ａ  マウス（コンピュータ装置５０ａ）
５１ｂ  マウス（コンピュータ装置５０ｂ）
５１ｃ  マウス（コンピュータ装置５０ｃ）
５１ｄ  マウス（コンピュータ装置５０ｄ）
５２    キーボード
５３ａ  ディスプレー（コンピュータ装置５０ａ）
５３ｄ  ディスプレー（コンピュータ装置５０ｄ）
６０    通信手段
６１    ハブ
６２    通信線
６３    通信線
６５    イントラネット
６６    インターネット
６７    ハブ
６８    スイッチ
６９    ルータ
７０    サーバー
７１    ファイヤーウォール
７２    無線ＬＡＮのアクセスポイント
７５    スクリーン
８０    表示画像
８１    表示画像
８２ａ  カーソル（コンピュータ装置５０ａ）
８２ｂ  カーソル（コンピュータ装置５０ｂ）
８２ｃ  カーソル（コンピュータ装置５０ｃ）
８２ｄ  カーソル（コンピュータ装置５０ｄ）
８５ａ  表示フレーム（コンピュータ装置５０ａ）
８５ｂ  表示フレーム（コンピュータ装置５０ｂ）
８５ｃ  表示フレーム（コンピュータ装置５０ｃ）
８５ｄ  表示フレーム（コンピュータ装置５０ｄ）
８６ａ  ウインドウ領域（コンピュータ装置５０ａ）
８６ｂ  ウインドウ領域（コンピュータ装置５０ｂ）
８６ｃ  ウインドウ領域（コンピュータ装置５０ｃ）
８６ｄ  ウインドウ領域（コンピュータ装置５０ｄ）
８７ａ  ウインドウ領域（コンピュータ装置５０ａ）
８７ｂ  ウインドウ領域（コンピュータ装置５０ｂ）
８７ｃ  ウインドウ領域（コンピュータ装置５０ｃ）
８８ｄ  ウインドウ領域（コンピュータ装置５０ｄ）
１００  画像表示システム
【図１】
2008191354.tif 000011
【図２】
2008191354.tif 000012
【図３】
2008191354.tif 000013
【図４】
2008191354.tif 000014
【図５】
2008191354.tif 000015
【図６】
2008191354.tif 000016
【図７】
2008191354.tif 000017
【図８】
2008191354.tif 000018
【図９】
2008191354.tif 000019
【図１０】
2008191354.tif 000020
【図１１】
2008191354.tif 000021
【図１２】
2008191354.tif 000022
【図１３】
2008191354.tif 000023
【図１４】
2008191354.tif 000024
【図１５】
2008191354.tif 000025
【図１６】
2008191354.tif 000026
【図１７】
2008191354.tif 000027
【図１８】
2008191354.tif 000028